(57)【要約】【解決手段】通信チャネルを介して送信するための物理層（ＰＨＹ）データユニットを生成するための方法において、データユニットが通常モードで送信される場合に、第１のロングトレーニングフィールドを含めてデータユニットが生成される。データユニットが低帯域幅モードで送信される場合に、第２のロングトレーニングフィールドを含めてデータユニットが生成される。第１のトレーニングフィールドおよび第２のトレーニングフィールドは、データユニットが低帯域幅モードに対応するか、または通常モードに対応するかを受信デバイスが自動検出出来るよう構成される。【選択図】図４Ｂ
2015501617.tif 000002
【特許請求の範囲】
【請求項１】
通信チャネルを介して送信するための物理層データユニット（ＰＨＹデータユニット）を生成するための方法であり、
前記ＰＨＹデータユニットが通常モードで送信される場合に、第１のロングトレーニングフィールドを含めて前記ＰＨＹデータユニットを生成する段階と、
前記ＰＨＹデータユニットが低帯域幅モードで送信される場合に、第２のロングトレーニングフィールドを含めて前記ＰＨＹデータユニットを生成する段階と
を備え、
前記第１のロングトレーニングフィールドおよび前記第２のロングトレーニングフィールドは、前記ＰＨＹデータユニットが前記低帯域幅モードに対応するか、または前記通常モードに対応するかを受信デバイスが自動検出出来るよう構成される、方法。
【請求項２】
前記第１のロングトレーニングフィールドを含めて前記ＰＨＹデータユニットを生成する段階は、ｉ）第１のデータトーン群とｉｉ）第１のパイロットトーン群とを含む第１の直交周波数分割多重トーン群（ＯＦＤＭトーン群）を有する第１のトーンマップを用いる段階を有し、
前記第２のロングトレーニングフィールドを含めて前記ＰＨＹデータユニットを生成する段階は、ｉ）第２のデータトーン群とｉｉ）第２のパイロットトーン群とを含む第２のＯＦＤＭトーン群を有する第２のトーンマップを用いる段階を有し、
前記第１のロングトレーニングフィールドおよび前記第２のロングトレーニングフィールドは、前記第１のトーンマップおよび前記第２のトーンマップ内の考慮される重複するトーン群を用いて相互相関が実行される場合に低い相互相関値を有する、請求項１に記載の方法。
【請求項３】
前記考慮される重複するトーン群は、ｉ）前記第１のパイロットトーン群と、ｉｉ）前記第２のパイロットトーン群と、ｉｉｉ）前記第１のデータトーン群内の１または複数のデータトーンと、ｉｖ）前記第２のデータトーン群内の１または複数のデータトーンとのうち１または複数を除外する、請求項２に記載の方法。
【請求項４】
前記第１のＯＦＤＭトーン群はさらに、第１のゼロ設定されたトーン群を含み、
前記第２のＯＦＤＭトーン群はさらに、第２のゼロ設定されたトーン群を含み、
前記考慮される重複するトーン群は、ｉ）前記第１のゼロ設定されたトーン群内の１または複数のゼロ設定されたトーンと、ｉｉ）前記第２のゼロ設定されたトーン群内の１または複数のゼロ設定されたトーンとのうち１または複数を含む、請求項２または３に記載の方法。
【請求項５】
前記考慮される重複するトーン群は、偶数個のトーンを含む、請求項２から４のいずれか１項に記載の方法。
【請求項６】
通信チャネルを介して送信するための物理層データユニット（ＰＨＹデータユニット）を生成するための装置であり、
ネットワークインタフェースを備え、
前記ネットワークインタフェースは、
前記ＰＨＹデータユニットが低帯域幅モードで送信される場合に、第１のロングトレーニングフィールドを含めて前記ＰＨＹデータユニットを生成し、
前記ＰＨＹデータユニットが通常モードで送信される場合に、第２のロングトレーニングフィールドを含めて前記ＰＨＹデータユニットを生成し、
前記第１のロングトレーニングフィールドおよび前記第２のロングトレーニングフィールドは、前記ＰＨＹデータユニットが前記低帯域幅モードに対応するか、または前記通常モードに対応するかを受信デバイスが自動検出出来るよう構成される、装置。
【請求項７】
前記ネットワークインタフェースは、
ｉ）第１のデータトーン群とｉｉ）第１のパイロットトーン群とを含む第１の直交周波数分割多重トーン群（ＯＦＤＭトーン群）を有する第１のトーンマップを用いることにより、前記第１のロングトレーニングフィールドを含めて前記ＰＨＹデータユニットを生成し、
ｉ）第２のデータトーン群とｉｉ）第２のパイロットトーン群とを含む第２のＯＦＤＭトーン群を有する第２のトーンマップを用いることにより、前記第２のロングトレーニングフィールドを含めて前記ＰＨＹデータユニットを生成し、
前記第１のロングトレーニングフィールドおよび前記第２のロングトレーニングフィールドは、前記第１のトーンマップおよび前記第２のトーンマップ内の考慮される重複するトーン群を用いて相互相関が実行される場合に低い相互相関値を有する、請求項６に記載の装置。
【請求項８】
前記考慮される重複するトーン群は、ｉ）前記第１のパイロットトーン群と、ｉｉ）前記第２のパイロットトーン群と、ｉｉｉ）前記第１のデータトーン群内の１または複数のデータトーンと、ｉｖ）前記第２のデータトーン群内の１または複数のデータトーンとのうち１または複数を除外する、請求項７に記載の装置。
【請求項９】
前記第１のＯＦＤＭトーン群はさらに、第１のゼロ設定されたトーン群を含み、
前記第２のＯＦＤＭトーン群はさらに、第２のゼロ設定されたトーン群を含み、
前記考慮される重複するトーン群は、ｉ）前記第１のゼロ設定されたトーン群内の１または複数のゼロ設定されたトーンと、ｉｉ）前記第２のゼロ設定されたトーン群内の１または複数のゼロ設定されたトーンとのうち１または複数を含む、請求項７または８に記載の装置。
【請求項１０】
前記考慮される重複するトーン群は、偶数個のトーンを含む、請求項８または９に記載の装置。
【請求項１１】
ｉ）第１のロングトレーニングシーケンスに従って変調させられた第１のロングトレーニングフィールドと、ｉｉ）第２のトレーニングシーケンスに従って変調させられた第２のトレーニングフィールドとのうち一方を含むデータユニットを受信する段階と、
前記データユニットが前記第１のロングトレーニングフィールドを含むか、または前記第２のトレーニングフィールドを含むかを検出する段階と、
前記データユニットが前記第１のロングトレーニングフィールドを含むことを検出したことに応じて、前記データユニットが通常モードのデータユニットに対応すると判断する段階と、
前記データユニットが前記第２のトレーニングフィールドを含むことを検出したことに応じて、前記データユニットが低帯域幅モードのデータユニットに対応すると判断する段階と
を備える方法。
【請求項１２】
前記第１のロングトレーニングフィールドは、ｉ）第１のデータトーン群およびｉｉ）第１のパイロットトーン群を含む第１の直交周波数分割多重トーン群（ＯＦＤＭトーン群）を有する第１のトーンマップに従って変調させられ、
前記第２のトレーニングフィールドは、ｉ）第２のデータトーン群およびｉｉ）第２のパイロットトーン群を含む第２のＯＦＤＭトーン群を有する第２のトーンマップに従って変調させられ、
前記データユニットが前記第１のロングトレーニングフィールドを含むか、または前記第２のトレーニングフィールドを含むかを検出する段階は、前記第１のトーンマップおよび前記第２のトーンマップ内の考慮される重複するトーン群を用いて相互相関を実行する段階を有する、請求項１１に記載の方法。
【請求項１３】
前記考慮される重複するトーン群は、ｉ）前記第１のパイロットトーン群と、ｉｉ）前記第２のパイロットトーン群と、ｉｉｉ）前記第１のデータトーン群内の１または複数のデータトーンと、ｉｖ）前記第２のデータトーン群内の１または複数のデータトーンとのうち１または複数を除外する、請求項１２に記載の方法。
【請求項１４】
前記第１のＯＦＤＭトーン群はさらに、第１のゼロ設定されたトーン群を含み、
前記第２のＯＦＤＭトーン群はさらに、第２のゼロ設定されたトーン群を含み、
前記考慮される重複するトーン群は、ｉ）前記第１のゼロ設定されたトーン群内の１または複数のゼロ設定されたトーンと、ｉｉ）前記第２のゼロ設定されたトーン群内の１または複数のゼロ設定されたトーンとのうち１または複数を含む、請求項１２または１３に記載の方法。
【請求項１５】
前記考慮される重複するトーン群は、偶数個のトーンを含む、請求項１２から１４のいずれか１項に記載の方法。
【請求項１６】
ネットワークインタフェースを備え、
前記ネットワークインタフェースは、
ｉ）第１のロングトレーニングシーケンスに従って変調させられた第１のロングトレーニングフィールドと、ｉｉ）第２のトレーニングシーケンスに従って変調させられた第２のトレーニングフィールドとのうち一方を含むデータユニットを受信し、
前記データユニットが前記第１のロングトレーニングフィールドを含むか、または前記第２のトレーニングフィールドを含むかを検出し、
前記データユニットが前記第１のロングトレーニングフィールドを含むことを検出したことに応じて、前記データユニットが通常モードのデータユニットに対応すると判断し、
前記データユニットが前記第２のトレーニングフィールドを含むことを検出したことに応じて、前記データユニットが低帯域幅モードのデータユニットに対応すると判断する、
装置。
【請求項１７】
前記第１のロングトレーニングフィールドは、ｉ）第１のデータトーン群およびｉｉ）第１のパイロットトーン群を含む第１の直交周波数分割多重トーン群（ＯＦＤＭトーン群）を有する第１のトーンマップに従って変調させられ、
前記第２のトレーニングフィールドは、ｉ）第２のデータトーン群およびｉｉ）第２のパイロットトーン群を含む第２のＯＦＤＭトーン群を有する第２のトーンマップに従って変調させられ、
前記ネットワークインタフェースは、前記第１のトーンマップおよび前記第２のトーンマップ内の考慮される重複するトーン群を用いて相互相関を少なくとも実行することにより、前記データユニットが前記第１のロングトレーニングフィールドを含むか、または前記第２のトレーニングフィールドを含むかを検出する、請求項１６に記載の装置。
【請求項１８】
前記考慮される重複するトーン群は、ｉ）前記第１のパイロットトーン群と、ｉｉ）前記第２のパイロットトーン群と、ｉｉｉ）前記第１のデータトーン群内の１または複数のデータトーンと、ｉｖ）前記第２のデータトーン群内の１または複数のデータトーンとのうち１または複数を除外する、請求項１７に記載の装置。
【請求項１９】
前記第１のＯＦＤＭトーン群はさらに、第１のゼロ設定されたトーン群を含み、
前記第２のＯＦＤＭトーン群はさらに、第２のゼロ設定されたトーン群を含み、
前記考慮される重複するトーン群は、ｉ）前記第１のゼロ設定されたトーン群内の１または複数のゼロ設定されたトーンと、ｉｉ）前記第２のゼロ設定されたトーン群内の１または複数のゼロ設定されたトーンとのうち１または複数を含む、請求項１７または１８に記載の装置。
【請求項２０】
前記考慮される重複するトーン群は、偶数個のトーンを含む、請求項１７から１９のいずれか１項に記載の装置。
【発明の詳細な説明】
【技術分野】
【０００１】
［関連出願の相互参照］
本開示は、２０１１年１１月２日に提出された米国仮特許出願第６１／５５４，８７２号の便益を主張する。当該仮特許出願の開示内容は、その全体が本明細書に参照により組み込まれる。
【０００２】
本開示は一般的に通信ネットワークに関し、より詳細には長距離低電力無線ローカルエリアネットワークに関する。
【背景技術】
【０００３】
本明細書で示される背景技術は、本開示の背景を一般的に示すことを目的としている。この背景技術のセクションで説明される範囲において、本願発明の発明者らによる研究、および提出時点において先行技術として見なされ得ない説明の態様は、本開示の先行技術として明示的にも暗示的にも認められない。
【０００４】
インフラストラクチャモードで動作する場合、無線ローカルエリアネットワーク（ＷＬＡＮ）は典型的には、アクセスポイント（ＡＰ）および１または複数のクライアント局を含む。ＷＬＡＮは過去１０年の間に急速に進化した。Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１ａ、８０２．１１ｂ、８０２．１１ｇ、および８０２．１１ｎ  ＳｔａｎｄａｒｄなどのＷＬＡＮ規格の開発により、シングルユーザピークデータスループットは向上した。例えば、ＩＥＥＥ８０２．１１ｂ  Ｓｔａｎｄａｒｄは１１メガビット／秒（Ｍｂｐｓ）のシングルユーザピークスループットを規定し、ＩＥＥＥ８０２．１１ａ  Ｓｔａｎｄａｒｄおよび８０２．１１ｇ  Ｓｔａｎｄａｒｄは、５４Ｍｂｐｓのシングルユーザピークスループットを規定し、ＩＥＥＥ８０２．１１ｎ  Ｓｔａｎｄａｒｄは、６００Ｍｂｐｓのシングルユーザピークスループットを規定し、ＩＥＥＥ８０２．１１ａｃ  Ｓｔａｎｄａｒｄは、ギガビット／秒（Ｇｂｐｓ）範囲のシングルユーザピークスループットを規定する。
【０００５】
２つの新たな規格、ＩＥＥＥ８０２．１１ａｈおよびＩＥＥＥ８０２．１１ａｆの研究が開始されており、それぞれがサブ１ＧＨｚの周波数の無線ネットワーク動作を規定するであろう。低周波数通信チャネルは一般的に、より高い周波数での送信と比較し、より良好な伝搬品質およびより長い伝搬範囲を特徴とする。過去において、サブ１ＧＨｚ範囲は無線通信ネットワークには利用されてこなかった。なぜなら、そのような周波数は他の用途（例えば、認可されたＴＶの周波数帯域、無線周波数帯域など）のために確保されていたからである。サブ１ＧＨｚ範囲には認可されていないままの周波数帯域は少なく、また、異なる地理的地域においてそれぞれ異なる特定の認可されていない周波数が存在する。ＩＥＥＥ８０２．１１ａｈ  Ｓｔａｎｄａｒｄは利用可能な認可されていないサブ１ＧＨｚの周波数帯域での無線動作を規定するであろう。ＩＥＥＥ８０２．１１ａｆ  Ｓｔａｎｄａｒｄは、ＴＶ  Ｗｈｉｔｅ  Ｓｐａｃｅ（ＴＶＷＳ）、つまり、サブ１ＧＨｚの周波数帯域の使用されていないＴＶチャネルでの無線動作を規定するであろう。
【発明の概要】
【０００６】
一実施形態において、
通信チャネルを介して送信するための物理層データユニット（ＰＨＹデータユニット）を生成するための方法は、
ＰＨＹデータユニットが通常モードで送信される場合に、第１のロングトレーニングフィールドを含めてＰＨＹデータユニットを生成する段階と、
ＰＨＹデータユニットが低帯域幅モードで送信される場合に、第２のロングトレーニングフィールドを含めてＰＨＹデータユニットを生成する段階と
を含む。  第１のロングトレーニングフィールドおよび第２のロングトレーニングフィールドは、ＰＨＹデータユニットが低帯域幅モードに対応するか、または通常モードに対応するかを受信デバイスが自動検出出来るよう構成される。
【０００７】
他の実施形態において、方法は、以下の要素のうち１または複数からなる組み合せを含む。
【０００８】
第１のロングトレーニングフィールドを含めてＰＨＹデータユニットを生成する段階は、ｉ）第１のデータトーン群とｉｉ）第１のパイロットトーン群とを含む第１の直交周波数分割多重トーン群（ＯＦＤＭトーン群）を有する第１のトーンマップを用いる段階を有する。
【０００９】
第２のロングトレーニングフィールドを含めてＰＨＹデータユニットを生成する段階は、ｉ）第２のデータトーン群とｉｉ）第２のパイロットトーン群とを含む第２のＯＦＤＭトーン群を有する第２のトーンマップを用いる段階を有する。
【００１０】
第１のロングトレーニングフィールドおよび第２のロングトレーニングフィールドは、第１のトーンマップおよび第２のトーンマップ内の考慮される重複するトーン群を用いて相互相関が実行される場合に低い相互相関値を有するよう構成される。
【００１１】
考慮される重複するトーン群は、ｉ）第１のパイロットトーン群と、ｉｉ）第２のパイロットトーン群と、ｉｉｉ）第１のデータトーン群内の１または複数のデータトーンと、ｉｖ）第２のデータトーン群内の１または複数のデータトーンとのうち１または複数を除外する。
【００１２】
第１のＯＦＤＭトーン群はさらに、第１のゼロ設定されたトーン群を含む。
【００１３】
第２のＯＦＤＭトーン群はさらに、第２のゼロ設定されたトーン群を含む。
【００１４】
考慮される重複するトーン群は、ｉ）第１のゼロ設定されたトーン群内の１または複数のゼロ設定されたトーンと、ｉｉ）第２のゼロ設定されたトーン群内の１または複数のゼロ設定されたトーンとのうち１または複数を含む。
【００１５】
考慮される重複するトーン群は、偶数個のトーンを含む。
【００１６】
他の実施形態において、通信チャネルを介して送信するための物理層データユニット（ＰＨＹデータユニット）を生成するための装置は、
ネットワークインタフェースを備え、
ネットワークインタフェースは、
ＰＨＹデータユニットが低帯域幅モードで送信される場合に、第１のロングトレーニングフィールドを含めてＰＨＹデータユニットを生成し、
ＰＨＹデータユニットが通常モードで送信される場合に、第２のロングトレーニングフィールドを含めてＰＨＹデータユニットを生成するよう構成される。第１のロングトレーニングフィールドおよび第２のロングトレーニングフィールドは、ＰＨＹデータユニットが低帯域幅モードに対応するか、または通常モードに対応するかを受信デバイスが自動検出出来るよう構成される。
【００１７】
他の実施形態において、装置は、以下の要素のうち１または複数からなる組み合せを含む。
【００１８】
ネットワークインタフェースは、
ｉ）第１のデータトーン群とｉｉ）第１のパイロットトーン群とを含む第１の直交周波数分割多重トーン群（ＯＦＤＭトーン群）を有する第１のトーンマップを用いることにより、第１のロングトレーニングフィールドを含めてＰＨＹデータユニットを生成するよう構成される。
【００１９】
ネットワークインタフェースは、
ｉ）第２のデータトーン群とｉｉ）第２のパイロットトーン群とを含む第２のＯＦＤＭトーン群を有する第２のトーンマップを用いることにより、第２のロングトレーニングフィールドを含めてＰＨＹデータユニットを生成するよう構成される。
【００２０】
第１のロングトレーニングフィールドおよび第２のロングトレーニングフィールドは、第１のトーンマップおよび第２のトーンマップ内の考慮される重複するトーン群を用いて相互相関が実行される場合に低い相互相関値を有するよう構成される。
【００２１】
考慮される重複するトーン群は、ｉ）第１のパイロットトーン群と、ｉｉ）第２のパイロットトーン群と、ｉｉｉ）第１のデータトーン群内の１または複数のデータトーンと、ｉｖ）第２のデータトーン群内の１または複数のデータトーンとのうち１または複数を除外する。
【００２２】
第１のＯＦＤＭトーン群はさらに、第１のゼロ設定されたトーン群を含む。
【００２３】
第２のＯＦＤＭトーン群はさらに、第２のゼロ設定されたトーン群を含む。
【００２４】
考慮される重複するトーン群は、ｉ）第１のゼロ設定されたトーン群内の１または複数のゼロ設定されたトーンと、ｉｉ）第２のゼロ設定されたトーン群内の１または複数のゼロ設定されたトーンとのうち１または複数を含む。
【００２５】
考慮される重複するトーン群は、偶数個のトーンを含む。
【００２６】
さらに他の実施形態において、方法は、
ｉ）第１のロングトレーニングシーケンスに従って変調させられた第１のロングトレーニングフィールドと、ｉｉ）第２のトレーニングシーケンスに従って変調させられた第２のトレーニングフィールドとのうち一方を含むデータユニットを受信する段階を含む。方法は、データユニットが第１のロングトレーニングフィールドを含むか、または第２のトレーニングフィールドを含むかを検出する段階も含む。  方法はさらに、データユニットが第１のロングトレーニングフィールドを含むことを検出したことに応じて、データユニットが通常モードのデータユニットに対応すると判断する段階と、
データユニットが第２のトレーニングフィールドを含むことを検出したことに応じて、データユニットが低帯域幅モードのデータユニットに対応すると判断する段階と
を含む。
【００２７】
他の実施形態において、方法は、以下の要素のうち１または複数からなる組み合せを含む。
【００２８】
第１のロングトレーニングフィールドは、ｉ）第１のデータトーン群およびｉｉ）第１のパイロットトーン群を含む第１の直交周波数分割多重トーン群（ＯＦＤＭトーン群）を有する第１のトーンマップに従って変調させられる。
【００２９】
第２のトレーニングフィールドは、ｉ）第２のデータトーン群およびｉｉ）第２のパイロットトーン群を含む第２のＯＦＤＭトーン群を有する第２のトーンマップに従って変調させられる。
【００３０】
データユニットが第１のロングトレーニングフィールドを含むか、または第２のトレーニングフィールドを含むかを検出する段階は、第１のトーンマップおよび第２のトーンマップ内の考慮される重複するトーン群を用いて相互相関を実行する段階を有する。
【００３１】
考慮される重複するトーン群は、ｉ）第１のパイロットトーン群と、ｉｉ）第２のパイロットトーン群と、ｉｉｉ）第１のデータトーン群内の１または複数のデータトーンと、ｉｖ）第２のデータトーン群内の１または複数のデータトーンとのうち１または複数を除外する。
【００３２】
第１のＯＦＤＭトーン群はさらに、第１のゼロ設定されたトーン群を含む。
【００３３】
第２のＯＦＤＭトーン群はさらに、第２のゼロ設定されたトーン群を含む。
【００３４】
考慮される重複するトーン群は、ｉ）第１のゼロ設定されたトーン群内の１または複数のゼロ設定されたトーンと、ｉｉ）第２のゼロ設定されたトーン群内の１または複数のゼロ設定されたトーンとのうち１または複数を含む。
【００３５】
考慮される重複するトーン群は、偶数個のトーンを含む。
【００３６】
さらに他の実施形態において、装置は、
ネットワークインタフェースを備え、
ネットワークインタフェースは、
ｉ）第１のロングトレーニングシーケンスに従って変調させられた第１のロングトレーニングフィールドと、ｉｉ）第２のトレーニングシーケンスに従って変調させられた第２のトレーニングフィールドとのうち一方を含むデータユニットを受信するよう構成される。ネットワークインタフェースは、データユニットが第１のロングトレーニングフィールドを含むか、または第２のトレーニングフィールドを含むかを検出するようにも構成される。ネットワークインタフェースはさらに、
データユニットが第１のロングトレーニングフィールドを含むことを検出したことに応じて、データユニットが通常モードのデータユニットに対応すると判断し、
データユニットが第２のトレーニングフィールドを含むことを検出したことに応じて、データユニットが低帯域幅モードのデータユニットに対応すると判断するよう構成される。
【００３７】
他の実施形態において、装置は、以下の要素のうち１または複数からなる組み合せを含む。
【００３８】
第１のロングトレーニングフィールドは、ｉ）第１のデータトーン群およびｉｉ）第１のパイロットトーン群を含む第１の直交周波数分割多重トーン群（ＯＦＤＭトーン群）を有する第１のトーンマップに従って変調させられる。
【００３９】
第２のトレーニングフィールドは、ｉ）第２のデータトーン群およびｉｉ）第２のパイロットトーン群を含む第２のＯＦＤＭトーン群を有する第２のトーンマップに従って変調させられる。
【００４０】
ネットワークインタフェースは、第１のトーンマップおよび第２のトーンマップ内の考慮される重複するトーン群を用いて相互相関を実行することにより少なくとも部分的に、データユニットが第１のロングトレーニングフィールドを含むか、または第２のトレーニングフィールドを含むかを検出するよう構成される。
【００４１】
考慮される重複するトーン群は、ｉ）第１のパイロットトーン群と、ｉｉ）第２のパイロットトーン群と、ｉｉｉ）第１のデータトーン群内の１または複数のデータトーンと、ｉｖ）第２のデータトーン群内の１または複数のデータトーンとのうち１または複数を除外する。
【００４２】
第１のＯＦＤＭトーン群はさらに、第１のゼロ設定されたトーン群を含む。
【００４３】
第２のＯＦＤＭトーン群はさらに、第２のゼロ設定されたトーン群を含む。
【００４４】
考慮される重複するトーン群は、ｉ）第１のゼロ設定されたトーン群内の１または複数のゼロ設定されたトーンと、ｉｉ）第２のゼロ設定されたトーン群内の１または複数のゼロ設定されたトーンとのうち１または複数を含む。
【００４５】
考慮される重複するトーン群は、偶数個のトーンを含む。
【図面の簡単な説明】
【００４６】
【図１】実施形態に係る例示的な無線ローカルエリアネットワーク（ＷＬＡＮ）のブロック図である。
【００４７】
【図２】実施形態に係る、通常モードのデータユニットを生成するための例示的な物理層（ＰＨＹ）処理ユニットの送信部分のブロック図である。
【００４８】
【図３Ａ】実施形態に係る、例示的な通常モードのデータユニットの図である。
【図３Ｂ】実施形態に係る、例示的な低帯域幅のデータユニットの図である。
【００４９】
【図４Ａ】実施形態に係る、通常モードのデータユニットのプリアンブル部分を示す図である。
【図４Ｂ】実施形態に係る、低帯域幅モードのデータユニットのプリアンブル部分を示す図である。
【００５０】
【図５】実施形態に係る、プリアンブルのフィールド内のシンボルを変調させるために用いられる例示的な変調技術を示す図である。
【００５１】
【図６Ａ】実施形態に係る、通常モードのデータユニットに対応する例示的な直交周波数分割多重（ＯＦＤＭ）トーンマップの図である。
【図６Ｂ】実施形態に係る、低帯域幅モードのデータユニットに対応する例示的なＯＦＤＭトーンマップの図である。
【００５２】
【図７】実施形態に係る、データユニットを生成するための例示的な方法７００のフロー図である。
【００５３】
【図８】実施形態に係る、データユニットのＰＨＹモードを自動検出するための例示的な方法８００のフロー図である。
【発明を実施するための形態】
【００５４】
以下に説明する実施形態において、無線ローカルエリアネットワーク（ＷＬＡＮ）のアクセスポイント（ＡＰ）などの無線ネットワークデバイスは、１または複数のクライアント局へデータストリームを送信する。ＡＰは、少なくとも第１の通信プロトコルに従ってクライアント局と共に動作するよう構成される。第１の通信プロトコルは、サブ１ＧＨｚの周波数帯域での動作を規定し、典型的には、比較的遅いデータレートでの長距離の無線通信を必要とする用途のために用いられる。第１の通信プロトコル（例えば、ＩＥＥＥ８０２．１１ａｆまたはＩＥＥＥ８０２．１１ａｈ）は本明細書において、「長距離」通信プロトコルと呼ぶ。いくつかの実施形態において、ＡＰは、一般的により高い周波数帯域での動作を規定する、典型的にはより高いデータレートでの、より近距離の通信のために用いられる１または複数の他の通信プロトコルに従ってクライアント局と通信を行うようにも構成される。より高い周波数の通信プロトコル（例えば、ＩＥＥＥ８０２．１１ａ、ＩＥＥＥ８０２．１１ｎ、および／または、ＩＥＥＥ８０２．１１ａｃ）は本明細書において総じて、「近距離」通信プロトコルと呼ぶ。いくつかの実施形態において、長距離通信プロトコルに準拠する物理層（ＰＨＹ）データユニット（「長距離データユニット」）は、近距離通信プロトコルに準拠するデータユニット（近距離データユニット）と同じかまたは同様であるが、より低いクロックレートを用いて生成される。この目的のため、実施形態において、ＡＰは、近距離での動作に適したクロックレートで動作し、サブ１ＧＨｚでの動作のために用いられるクロックを生成するためにダウンクロックが用いられる。結果として、本実施形態において、長距離データユニットは、近距離データユニットの物理層フォーマットを維持するが、より長い期間をかけて送信される。
【００５５】
この長距離通信プロトコルにより規定されるこの「通常モード」に加え、いくつかの実施形態において、長距離通信プロトコルは、通常モードに関して規定される最も低い帯域幅およびデータレートと比較して帯域幅およびデータレートがより低い「低帯域幅モード」も規定する。データレートがより低いので、低帯域幅モードは、通信距離がさらに長くなり、一般的に受信機の感度を向上させる。低帯域幅モードに対応するデータユニットは、通常モードに対応するデータユニットと同じクロックレートを用いて生成される（例えば、通常モードのデータユニットのために用いられるのと同じ割合でダウンクロックされる）。例えば、実施形態において、通常モードのデータユニットおよび低帯域幅モードのデータユニットの直交周波数分割多重（ＯＦＤＭ）シンボルは両方とも、同じサブ搬送波／トーン間隔およびＯＦＤＭシンボル期間を有する。いくつかの実施形態において、通常モードおよび／または低帯域幅モードは、複数のＰＨＹサブモードを含む。一実施形態において、例えば通常モードは、２ＭＨｚのデータユニットに対応する第１のサブモード、４ＭＨｚのデータユニットに対応する第２のサブモードなどを含み、低帯域幅モードは、１ＭＨｚだけのデータユニットに対応する。他の実施形態において、低帯域幅モードは同様に、異なる帯域幅（例えば、１ＭＨｚ、０．５ＭＨｚなど）を有するデータユニットに対応する複数のサブモードを含む。
【００５６】
低帯域幅モードの機能はそのモードが用いられる地域によって異なり得る。例えば、サブ１ＧＨｚ範囲において利用可能なスペクトルが比較的多い米国におけるＩＥＥＥ８０２．１１ａｈシステムの一実施形態において、通常モードの通信は、少なくとも最も低い帯域幅（例えば、２ＭＨｚまたは２．５ＭＨｚなど）を有するチャネルを用い、低帯域幅モードは、さらにより低い帯域幅（例えば、１ＭＨｚ、または１．２５ＭＨｚなど）を有する「制御モード」として役割を果たす。実施形態において、ＡＰは、例えば、信号ビーコンまたは関連付け手順のために、および／または送信ビームフォーミングトレーニング動作のために制御モードを用いる。他の例として、サブ１ＧＨｚ範囲において利用可能なスペクトルが比較的少ない通信システムの一実施形態において（例えば、欧州または日本）、低帯域幅モードは制御モードではなく通常モードの延長として役割を果たす。
【００５７】
図１は、一実施形態に係る例示的なＷＬＡＮ１０のブロック図である。ＡＰ１４は、ネットワークインタフェース１６に結合されたホストプロセッサ１５を含む。ネットワークインタフェース１６は、媒体アクセス制御（ＭＡＣ）処理ユニット１８および物理層（ＰＨＹ）処理ユニット２０を含む。ＰＨＹ処理ユニット２０は複数の送受信機２１を含み、送受信機２１は、複数のアンテナ２４に結合されている。３つの送受信機２１および３つのアンテナ２４が図１には示されているが、他の実施形態において、ＡＰ１４は、異なる数（例えば１、２、４、５など）の送受信機２１およびアンテナ２４を含みうる。
【００５８】
ＷＬＡＮ１０は、複数のクライアント局２５を含む。４つのクライアント局２５が図１には示されているが、様々なシナリオおよび実施形態においてＷＬＡＮ１０は、異なる数（例えば１、２、３、５、６など）のクライアント局２５を含みうる。クライアント局２５のうち少なくとも１つ（例えばクライアント局２５−１）は、少なくとも長距離通信プロトコルに従って動作するよう構成される。いくつかの実施形態において、クライアント局２５のうち少なくとも１つ（例えばクライアント局２５−４）は、少なくとも近距離通信プロトコルのうち１または複数に従って動作するよう構成された近距離クライアント局である。
【００５９】
クライアント局２５−１は、ネットワークインタフェース２７に結合されたホストプロセッサ２６を含む。ネットワークインタフェース２７は、ＭＡＣ処理ユニット２８およびＰＨＹ処理ユニット２９を含む。ＰＨＹ処理ユニット２９は、複数の送受信機３０を含み、送受信機３０は複数のアンテナ３４に結合されている。３つの送受信機３０および３つのアンテナ３４が図１には示されているが、他の実施形態において、クライアント局２５−１は異なる数（例えば、１、２、４、５など）の送受信機３０およびアンテナ３４を含みうる。
【００６０】
いくつかの実施形態において、クライアント局２５−２、２５−３、２５−４のうち１つ、いくつか、または全てが、クライアント局２５−１と同じ、または同様の構造を有する。これらの実施形態において、クライアント局２５−１と同じ、または同様の構造を有するクライアント局２５は、同じ、または異なる数の送受信機およびアンテナを有する。例えば、一実施形態においてクライアント局２５−２は、２つの送受信機および２つのアンテナ（図示せず）のみ有する。
【００６１】
様々な実施形態において、ＡＰ１４のＰＨＹ処理ユニット２０は、長距離通信プロトコルに準拠した、以下に説明するフォーマットを有するデータユニットを生成するよう構成される。送受信機２１は、生成されたデータユニットをアンテナ２４を介して送信するよう構成される。同様に、送受信機２１は、データユニットをアンテナ２４を介して受信するよう構成される。また様々な実施形態によると、ＡＰ１４のＰＨＹ処理ユニット２０は、長距離通信プロトコルに準拠した、以下に説明するフォーマットを有する受信したデータユニットを処理するようにも構成される。
【００６２】
様々な実施形態において、クライアントデバイス２５−１のＰＨＹ処理ユニット２９は、長距離通信プロトコルに準拠した、以下に説明するフォーマットを有するデータユニットを生成するよう構成される。送受信機３０は、生成されたデータユニットをアンテナ３４を介して送信するよう構成される。同様に、送受信機３０は、データユニットをアンテナ３４を介して受信するよう構成される。また様々な実施形態において、クライアントデバイス２５−１のＰＨＹ処理ユニット２９は、長距離通信プロトコルに準拠した、以下に説明するフォーマットを有する受信したデータユニットを処理するようにも構成される。
【００６３】
いくつかの実施形態において、ＡＰ１４は、デュアルバンド方式で動作するよう構成される。そのような実施形態において、ＡＰ１４は、近距離モードでの動作と長距離モードでの動作とので間で切り替えることが出来る。そのような一実施形態によると、近距離モードで動作する場合、ＡＰ１４は、近距離通信プロトコルのうち１または複数に準拠したデータユニットを送受信する。長距離モードで動作する場合、ＡＰ１４は、長距離通信プロトコルに準拠したデータユニットを送受信する。同様にいくつかの実施形態によると、クライアント局２５−１は、デュアル周波数帯域動作が可能である。これらの実施形態において、クライアント局２５−１は、近距離モードでの動作と長距離モードでの動作との間で切り替えることも出来る。他の実施形態において、ＡＰ１４および／またはクライアント局２５−１は、長距離通信プロトコルにより長距離での動作のために規定された複数の異なる低周波数帯域の間で切り替えることが出来るデュアルバンドデバイスである。さらに他の実施形態において、ＡＰ１４および／またはクライアント局２５−１は、１つの長距離周波数帯域でのみ動作するよう構成されたシングルバンドデバイスである。
【００６４】
またさらに他の実施形態において、クライアント局２５−１は、複数の異なる対応するＰＨＹモードを用いる複数の異なる地域で動作することが出来るデュアルモードデバイスである。例えば、そのような一実施形態においてクライアント局２５−１は、第１の地域において動作する場合、通常モードのＰＨＹを利用し、第２の地域（例えば、利用可能なスペクトルが少ない地域）において動作する場合、低帯域幅モードのＰＨＹを利用するよう構成される。実施形態において、クライアント局２５−１は、送信機および受信機の低帯域幅モードおよび通常モードのベースバンド信号処理を切り替えることにより、および、各モードに当てはまる条件（例えば、送信機におけるスペクトルマスク条件、受信機における隣接するチャネルの干渉条件など）を満たすべくデジタルフィルタとアナログフィルタとを切り替えることにより、複数の異なる地域で通常モードと低帯域幅モードとを切り替えることが出来る。しかし実施形態において、低帯域幅モードと通常モードとの間で切り替える場合、クロックレートなどのハードウェア設定は変更されない。
【００６５】
例示的な一実施形態において、クライアント局２５−１は、米国においては（例えば、２ＭＨｚおよびそれより広いチャネルの）通常モードのＰＨＹを利用し、欧州および／または日本においては（例えば、１ＭＨｚのチャネルの）低帯域幅モードを利用するデュアルモードデバイスである。本実施形態において、同じクロックレートが汎用的に用いられ、複数の異なる帯域幅の信号を生成するのに複数の異なる離散逆フーリエ変換（ＩＤＦＴ）のサイズ（例えば、米国の２ＭＨｚまたはそれより広い帯域幅のチャネルには６４ポイントまたはそれより大きいＩＤＦＴ、欧州／日本の１ＭＨｚのチャネルには３２ポイントのＩＤＦＴ）が利用される。これらの実施形態のいくつかにおいて、低帯域幅モードが米国での制御ＰＨＹのためにも用いられる。
【００６６】
他の例示的な実施形態において、クライアント局２５−１は、米国において、通常モードのＰＨＹ（例えば、２ＭＨｚおよびそれより広いチャネルのために）、および低帯域幅モードのＰＨＹ（例えば、１ＭＨｚの帯域幅を有する制御モードの信号のために）を利用し、欧州および／または日本において、低帯域幅モードのＰＨＹ（例えば、１ＭＨｚのチャネルのために）のみを利用するデュアルモードデバイスである。本実施形態において、同じクロックレートが汎用的に用いられ、複数の異なる帯域幅の信号を生成するのに複数の異なるＩＤＦＴのサイズ（例えば、米国における２ＭＨｚまたはそれより広い帯域幅のチャネルには６４ポイントまたはそれより大きいＩＤＦＴ、米国における１ＭＨｚの制御モードの信号および欧州／日本における１ＭＨｚのチャネルの両方に３２ポイントのＩＤＦＴ）が利用される。
【００６７】
いくつかの実施形態において、クライアント局２５−１などのデバイスは、最も小さな帯域幅の通常モードのデータユニットを生成しようと、または低帯域幅モードのデータユニットを生成しようと、同じサイズのＩＤＦＴを（一定のクロックレートで）用いる。例えば、一実施形態において、２ＭＨｚの通常モードのデータユニットおよび１ＭＨｚの低帯域幅モードのデータユニットの両方の生成に６４ポイントのＩＤＦＴが用いられる。１ＭＨｚの低帯域幅モードのデータユニットの生成の場合は、適切なトーンがゼロ設定される。これらの実施形態のいくつかのシナリオにおいて、より広い（例えば２ＭＨｚ）のチャネルのためのスペクトルマスク条件を満たしつつＰＨＹモード間で切り替える場合、フィルタをオンザフライで変更する必要はない。他のシナリオにおいて、送信される低帯域幅モードの信号は、より広い帯域幅に対応するＩＤＦＴのサイズを用いて送信される場合であっても、より小さくより低い帯域幅のスペクトルマスクを満たすことが求められる。
【００６８】
図２は、実施形態に係る、通常モードのデータユニットを生成するための例示的なＰＨＹ処理ユニット１００の送信部分のブロック図である。図１を参照すると、一実施形態において、ＡＰ１４のＰＨＹ処理ユニット２０、およびクライアント局２５−１のＰＨＹ処理ユニット２９はそれぞれ、ＰＨＹ処理ユニット１００と同様である、または同じである。実施形態によると、ＰＨＹ処理ユニット１００は、一般的に情報ビットのストリームをスクランブルして、１またはゼロの長いシーケンスの発生を低減するスクランブラー１０２を含む。スクランブラー１０２には符号器パーサー１０４が結合されている。符号器パーサー２０８は、情報ビットのストリームを１または複数のＦＥＣ符号器１０６に対応する１または複数の符号器入力ストリームに逆多重化する。
【００６９】
図２には２つのＦＥＣ符号器１０６が示されているが、様々な他の実施形態、および／またはシナリオにおいては、異なる数のＦＥＣ符号器が含まれ、および／または、異なる数のＦＥＣ符号器が並行して動作する。例えば一実施形態によると、ＰＨＹ処理ユニット１００は、４つのＦＥＣ符号器１０６を含み、および、１つ、２つ、３つ、または４つのＦＥＣ符号器１０６が、特定の変調符号化方式（ＭＣＳ）、帯域幅、および空間ストリームの数に応じて同時に動作する。各ＦＥＣ符号器１０６は、対応する入力ストリームを符号化して、対応する符号化されたストリームを生成する。一実施形態において、各ＦＥＣ符号器１０６は、２値畳み込み符号器（ＢＣＣ）を含む。他の実施形態において、各ＦＥＣ符号器１０６は、パンクチャリングブロックがその後に続くＢＣＣを含む。他の実施形態において、各ＦＥＣ符号器１０６は、低密度パリティチェック（ＬＤＰＣ）符号器を含む。
【００７０】
ストリームパーサー１０８は、別個のインターリービングおよびコンスタレーションポイント／シンボルへのマッピングのために１または複数の符号化されたストリームを１または複数の空間ストリーム（例えば、図２に示される例示的なＰＨＹ処理ユニット１００において４個のストリーム）へパースする。一実施形態において、ストリームパーサー１０８は、以下の数式が満たされるようにＩＥＥＥ８０２．１１ｎ通信プロトコルに従って動作する。
【数１】
2015501617.tif 000003
数式１
ここでｓは、ＮＳＳ個の空間ストリームのうちそれぞれのためのコンスタレーションポイントにおける１つの軸に割り当てられた符号化されたビットの数であり、ＮＢＰＳＣＳは、１つのサブ搬送波あたりのビット数である。実施形態において、各ＦＥＣ符号器１０６（ＢＣＣまたはＬＤＰＣ）のために、ｓ個の符号化されたビットの連続するブロックがラウンドロビン方式で複数の異なる空間ストリームに割り当てられる。ＦＥＣ符号器１０６群が２またはそれ以上のＢＣＣ符号器を含むいくつかの実施形態において、個々のＦＥＣ符号器１０６の出力が、各ラウンドロビンサイクルにおいて交互に用いられる。つまり、まず第１のＦＥＣ符号器１０６からのＳ個のビットがＮＳＳ個の空間ストリームに供給され、第２のＦＥＣ符号器１０６からのＳ個のビットがＮＳＳ個の空間ストリームへ供給される、などである。ここで
Ｓ＝ＮＳＳ×ｓ  数式２
となる。
【００７１】
ＮＳＳ個の空間ストリームのうちそれぞれに対応し、隣り合う雑音のあるビットからなる長いシーケンスが受信機においてデコーダに入るのを防ぐべく、インターリーバ１１０は空間ストリームのビットをインターリービングする（つまり、ビットの順番を変更する）。より詳細には、インターリーバ１１０は、隣り合う符号化されたビットを、周波数領域において、または時間領域において、隣り合わない位置へマッピングする。実施形態においてインターリーバ１１０は、パラメータＮｃｏｌ、Ｎｒｏｗ、Ｎｒｏｔ（つまり、それぞれ列数、行数、および周波数回転パラメータ）が、長距離の通常モードのデータユニットの帯域幅に基づいた適した値である点を除いて、ＩＥＥＥ８０２．１１ｎ通信プロトコル（つまり、各データストリームにおいて２度の周波数置換、および、第３の置換は異なるように、異なるストリームの複数のビットを周期的にシフト）に従って動作する。
【００７２】
また各空間ストリームに対応して、コンスタレーションマッパー１１２は、複数のビットから成るインターリービングされたシーケンスを、ＯＦＤＭシンボルの異なるサブ搬送波／トーンに対応するコンスタレーションポイントへマッピングする。より詳細には実施形態において、各空間ストリームに関し、コンスタレーションマッパー１１２はｌｏｇ２（Ｍ）の長さの全てのビットシーケンスをＭ個のコンスタレーションポイントのうち１つへ移す。コンスタレーションマッパー１１２は用いられているＭＣＳに応じて異なる数のコンスタレーションポイントを扱う。実施形態において、コンスタレーションマッパー１１２は、Ｍ＝２、４、１６、６４、２５６、および１０２４個のコンスタレーションポイントを扱う直交振幅変調（ＱＡＭ）マッパーである。他の実施形態において、コンスタレーションマッパー１１２は、｛２，４，１６，６４，２５６，１０２４｝の群の少なくとも２つの値から成る異なるサブ群に等しいＭに対応する異なる変調方式を扱う。
【００７３】
実施形態において、時空間ブロック符号化（ＳＴＢＣ）ユニット１１４は、１または複数の空間ストリームに対応するコンスタレーションポイントを受信し、当該空間ストリームを複数（ＮＳＴＳ）の時空間ストリームに拡散させる。いくつかの実施形態において、ＳＴＢＣユニット１１４は省略される。ＳＴＢＣユニット１１４には循環シフトダイバーシティ（ｃｙｃｌｉｃ  ｓｈｉｆｔ  ｄｉｖｅｒｓｉｔｙ）（ＣＳＤ）ユニット１１６が結合されている。ＣＳＤユニット１１６は、意図しないビーム形成を防ぐべく、（１より大きい数の時空間ストリームが存在する場合）１つを除いた残りの全ての時空間ストリームに循環シフトを挿入する。説明を分かりやすくするべく、ＣＳＤユニット１１６への入力は、ＳＴＢＣユニット１１４が省略された実施形態においても時空間ストリームと呼ぶ。
【００７４】
空間マッピングユニット１２０は、ＮＳＴＳ個の時空間ストリームをＮＴＸ個の送信チェーンへマッピングする。様々な実施形態において、空間マッピングは、１）各時空間ストリームからのコンスタレーションポイントが送信チェーンへ直接的にマッピングされる直接マッピング（つまり１対１のマッピング）、２）全ての時空間ストリームからのコンスタレーションポイントのベクトルが行列の乗算を用いて拡大され、送信チェーンへの入力が生成される空間的拡大、および、３）全ての時空間ストリームからのコンスタレーションポイントの各ベクトルが方向ベクトルの行列により乗算され、送信チェーンへの入力が生成されるビーム形成のうち１または複数を含む。空間マッピングユニット１２０の各出力は１個の送信チェーンに対応し、空間マッピングユニット１２０の各出力は、複数のコンスタレーションポイントからなるブロックを時間領域信号へ変換するＩＤＦＴ計算ユニット１２２（例えば、逆高速フーリエ変換（ＩＦＦＴ）計算ユニット）により処理が行われる。ＩＤＦＴユニット１２２の出力は、実施形態において、ＯＦＤＭシンボルの円形の拡張部分であるガードインターバル（ＧＩ）部分をＯＦＤＭシンボルへプリペンドし、スペクトル遅延を増加させるべくＯＦＤＭシンボルのエッジを滑らかにするＧＩ挿入／ウィンドウイングユニット１２４へ提供される。ＧＩ挿入／ウィンドウイングユニット１２４の出力は、信号をアナログ信号へ変換し、信号を送信のためにＲＦ周波数にアップコンバートするアナログ／無線周波数（ＲＦ）ユニット１２６へ提供される。様々な実施形態、および／またはシナリオにおいて信号は、（例えば、ユニット１２２におけるそれぞれ６４、１２８、２５６、または５１２ポイントのＩＤＦＴに対応し、ＩＤＦＴのサイズに関わらず一定のクロックレートを用いて）２ＭＨｚ、４ＭＨｚ、８ＭＨｚ、または１６ＭＨｚの帯域幅のチャネルで送信される。他の実施形態において、他の適したチャネル帯域幅（および／またはＩＤＦＴのサイズ）が用いられる。通常モードに対応する長距離データユニットは、２０１２年１月６日に提出され発明の名称が「Ｐｈｙｓｉｃａｌ  Ｌａｙｅｒ  Ｆｒａｍｅ  Ｆｏｒｍａｔ  ｆｏｒ  Ｌｏｎｇ  Ｒａｎｇｅ  ＷＬＡＮ」である米国特許出願第１３／３５９，３３６号にさらに詳細に説明されている。当該特許出願はその全体が参照により本明細書に組み込まれる。
【００７５】
低帯域幅モードの通信は一般的に、通常モードの通信よりさらにロバストであり、より長い距離の通信をサポートする感度ゲインを有する。例えば、通常モードが通常モードのデータユニットを生成するのに６４ポイントのＩＤＦＴ（例えば、２ＭＨｚの帯域幅の信号のために）を用い、低帯域幅モードが低帯域幅モードのデータユニットを生成するのに３２ポイントのＩＤＦＴ（例えば、１ＭＨｚの帯域幅の信号のために）を用いる実施形態において、低帯域幅モードはおよそ３ｄＢの感度ゲインを提供する。他の例として、通常モードが通常モードのデータユニットを生成するのに６４ポイントのＩＤＦＴ（例えば、２ＭＨｚの帯域幅の信号のために）を用い、低帯域幅モードが低帯域幅モードのデータユニットを生成するのに１６ポイントのＩＤＦＴ（例えば、０．５ＭＨｚの帯域幅の信号のために）を用いる実施形態において、低帯域幅モードはおよそ６ｄＢの感度ゲインを提供する。さらに、いくつかの実施形態において、低帯域幅モードは、ビットの冗長性または繰り返しをデータユニットの少なくともいくつかのフィールドに導入し、さらにデータレートを低くする。例えば、様々な実施形態および／またはシナリオにおいて、低帯域幅モードは、以下に説明する１または複数の繰り返し／符号化方式に従って低帯域幅モードのデータユニットのデータ部分および／または信号フィールドに冗長性を導入する。低帯域幅モードが複数のビットの繰り返しを２回含む実施形態において、例えば、さらに３ｄＢの感度ゲインが得られ得る。さらには、いくつかの実施形態において、低帯域幅モードは、通常モードの最も低いデータレートのＭＣＳに従って、または、通常モードの最も低いデータレートのＭＣＳより低いＭＣＳに従ってＯＦＤＭシンボルを生成することにより感度を向上させる。例として、実施形態において、通常モードのデータユニットは、より高いオーダーのＭＣＳがより高いデータレートに対応する、ＭＣＳ０（１／２の二相位相変調方式（ＢＰＳＫ）変調符号化レート）からＭＣＳ９（５／６の直交振幅変調（ＱＡＭ）／符号化レート）などＭＣＳ群より選択される特定のＭＣＳに従って生成される。そのような一実施形態において、低帯域幅モードのデータユニットは、ＭＣＳ０により規定される変調および符号化を用いて生成される。代替的な実施形態において、ＭＣＳ０は、低帯域幅モードのデータユニットのためのみに確保され、通常モードのデータユニットのために用いられ得ない。
【００７６】
いくつかの実施形態において、低帯域幅のデータユニットを生成するためにＡＰ１４および／またはクライアント局２５により採用されるＰＨＹ処理ユニットは、図２のＰＨＹ処理ユニット１００と同じハードウェアに対応するが、通常モードのデータユニットが生成されているか、または低帯域幅モードのデータユニットが生成されているかに応じてハードウェア内で異なる信号動作が用いられる。いくつかのそのような実施形態において、低帯域幅のデータユニットが生成される場合、ＰＨＹ処理ユニット１００の特定のコンポーネントの様々なパラメータは変更される。例えば、実施形態において、上記の数式１および２の関連するパラメータ（例えばＮＢＰＳＣＳおよびＮＳＳ）が、低帯域幅モードシステムのパラメータに対応するよう変更される（例えば、低帯域幅モードのデータユニットに関して１つの空間ストリームだけが許可される場合、ＮＳＳ＝１）。さらに、いくつかの実施形態において、インターリーバ１１０のパラメータＮｃｏｌ、Ｎｒｏｗ、およびＮｒｏｔは、低帯域幅のデータユニットが生成される場合、低帯域幅のデータユニットの帯域幅に基づき適した値に変更される。いくつかの実施形態において、ＰＨＹ処理ユニットは、ビットをコンスタレーションシンボルへマッピングする前に、ＢＣＣ符号化ビットの繰り返しを用いて、低帯域幅モードのデータユニットを生成する。いくつかの実施形態において、低帯域幅のデータユニットを生成するために用いられるＰＨＹ処理ユニットの様々な特定の例は、発明の名称が「Ｌｏｗ  Ｂａｎｄｗｉｄｔｈ  ＰＨＹ  ｆｏｒ  ＷＬＡＮ」である米国特許出願第１３／４９４，５０５号に説明されている。当該特許出願はその全体が参照により本明細書に組み込まれる。
【００７７】
図３Ａは、実施形態に係る、ＡＰ１４が直交周波数分割多重（ＯＦＤＭ）変調を介してクライアント局２５−４へ送信を行うよう構成された、例示的な通常モードのデータユニット３００を示す図である。実施形態において、クライアント局２５−４は、実施形態に従って、ＡＰ１４へデータユニット３００を送信するようにも構成されている。通常モードのデータユニット３００は、近距離プロトコルに準拠する、データユニットのダウンクロックされたバージョンである。図３Ａに示される特定の実施形態に関して、通常モードのデータユニット３００は、（ミックスされたモードではなく）「Ｇｒｅｅｎｆｉｅｌｄ」のプリアンブルを用いるＩＥＥＥ８０２．１１ｎデータユニットのダウンクロックされたバージョンである。他の実施形態において、通常モードのデータユニット３００は、他の近距離プロトコルに準拠する、データユニットのダウンクロックされたバージョンである。様々な実施形態に係る、通常モードのデータユニットの複数の異なる例が、米国特許出願第１３／３５９，３３６に説明されている。
【００７８】
通常モードのデータユニット３００は最も低い通常モードチャネル帯域幅（例えば６４ポイントのＩＤＦＴを利用する２ＭＨｚ）に対応し、ショートトレーニングフィールド（ＳＴＦ）３０２、第１のロングトレーニングフィールド（ＬＴＦ１）３０４、信号（ＳＩＧ）フィールド３０６、残りのＬＴＦ３０８（例えば、１つの空間ストリームあたり追加の１つのＬＴＦ）、および超高スループットデータ（ＶＨＴＤＡＴＡ）部分３１０を含む。一般的に、ＳＴＦ３０２は、パケット検出、初期同期、自動ゲイン制御などのために用いられ、ＬＴＦ３０４はチャネル推定および微同期のために用いられ、ＳＩＧフィールド３０６は、例えば、データユニットを送信するために用いられる信号帯域幅（例えば、データユニット３００のための２ＭＨｚ）、変調形式、および符号化レートなど、データユニット３００の特定の物理層（ＰＨＹ）パラメータを伝達するために用いられる。
【００７９】
いくつかの実施形態において、より高い帯域幅の通常モードのデータユニットに関して、ＳＴＦ、ＬＴＦ、およびＳＩＧフィールドは、複数のサブバンドのうちそれぞれにおいて複製され、各サブバンドは、最も低い通常モードチャネル帯域幅に等しい帯域幅を有する。例えば、実施形態において、より高い帯域幅（例えば、４ＭＨｚ、８ＭＨｚ、１６ＭＨｚなど）のデータユニットは、データユニットのデータ部分３１０のプリアンブルとしてＳＴＦ３０２、ＬＴＦ３０４、３０８、およびＳＩＧフィールド３０６を各２ＭＨｚ帯域内で複製し、データ部分３１０は、周波数複製なしで帯域幅の全体（例えば４ＭＨｚ、８ＭＨｚ、１６ＭＨｚなどの）を占有する。実施形態において、通常モードのデータユニット３００を検出した受信機は、ＳＩＧフィールド３０６内の帯域幅情報に基づきデータユニットの帯域幅を判断出来る。
【００８０】
図３Ｂは、実施形態に係る、例示的な低帯域幅モードのデータユニット３５０のプリアンブルを示す図である。低帯域幅モードのデータユニット３５０は、通常モードのデータユニット３００と同じクロックレートを用いるが、帯域幅を小さくするべくより小さいサイズのＩＤＦＴを用いて生成される。例えば、通常モードのデータユニット３００が、６４および１２８ポイントのＩＤＦＴをそれぞれ用いて生成される２ＭＨｚまたは４ＭＨｚの帯域幅に対応する一実施形態において、低帯域幅モードのデータユニット３５０は、１ＭＨｚの帯域幅を有し、３２ポイントのＩＤＦＴを用いて生成される。通常モードのデータユニット３００と同様に、低帯域幅モードのデータユニット３５０は、ＳＴＦ３５２、ＬＴＦ１  ３５４、ＳＩＧフィールド３５６、および残りのＬＴＦ３５８（例えば、低帯域幅モードのデータユニットのために１より大きい数の空間ストリームが用いられた場合、１つの空間ストリームあたり追加の１つのＬＴＦ）を含む。ＳＴＦ３５２、ＬＴＦ３５４、３５８、およびＳＩＧ３５６は、データユニット３５０のプリアンブル部分を構成する。いくつかの実施形態において、低帯域幅モードのデータユニット３５０のプリアンブル内の様々なフィールドは、通常モードのデータユニット３００の対応するフィールドと様々な点で異なる。一般的に、様々な実施形態において、米国特許出願第１３／３６６，０６４号に説明される低レートＰＨＹプリアンブルのうちいずれかが低帯域幅モードのデータユニットに関して用いられ得るが、通常モードのデータユニットと比較しより低い帯域幅が用いられる。いくつかの実施形態において、低帯域幅モードのデータユニット３５０は、データユニット３５０のプリアンブルとして同じ帯域幅を有するデータ部分３６０も含む。
【００８１】
いくつかの実施形態において、低帯域幅モードのデータユニット３５０のプリアンブル内の様々なフィールドは、通常モードのデータユニット３００の対応するフィールドと様々な点で異なる。例えば、いくつかの実施形態において、低帯域幅のデータユニット３５０の様々なフィールドはより長く、したがって、通常モードのデータユニット３００の対応するフィールドと比較してより多くのＯＦＤＭシンボルを占有する。例えば、実施形態において、低帯域幅のデータユニット３５０のＳＴＦトレーニングフィールド３５２は、通常モードのデータユニット３００のＳＴＦトレーニングフィールド３０２に含まれるショートトレーニングシーケンスの数と比較してより多くのショートトレーニングシーケンス（ＳＴＳ）を含む。実施形態において、受信デバイスの、低帯域幅のデータユニットのより長距離の送信に一般的に関連するより低い信号対雑音比（ＳＮＲ）で低帯域幅のデータユニットを検出する能力を向上させるべく、追加のＳＴＦシーケンスが低帯域幅のデータユニットに追加される。特定の例として、一実施形態において、通常モードのデータユニット３００のＳＴＦフィールド３０２は、２つのＯＦＤＭシンボルを占有し、低帯域幅のデータユニット３５０のＳＴＦフィールド４０２は、４つのＯＦＤＭシンボルを占有する。さらに、いくつかの実施形態において、ＳＴＦ３５２の電力レベルは、適した量（例えば３ｄＢ）だけデータユニット３５０の残りと相対的に増大させられる。電力増大はさらに、受信機におけるデータユニット３５０の検出を促す。一実施形態において、電力増大（例えば、３ｄＢの電力増大）は、実施形態によると、ＢＰＳＫ変調、シングルストリームに対応するＭＣＳ０  ｒｅｐ  ２などの、最も低いデータレートで、ビットの繰り返しブロックを用いて変調させられた低帯域幅モードのデータユニットのＳＴＦのためにのみ、送信デバイスにより適用され、通常モードのデータユニットのＳＴＦ、および／または、ビットの繰り返しを用いて変調させられない低帯域幅モードのデータユニットのＳＴＦには適用されない。
【００８２】
実施形態において、データユニット３５０のＳＩＧフィールド３５６はより長く、通常モードのデータユニット３００のＳＩＧフィールド３０６と比較してより多くのＯＦＤＭシンボルを含む。一実施形態において、ＳＩＧフィールド３０６は、２つのＯＦＤＭシンボルを占有し、ＳＩＧフィールド３５６は、より多く（例えば、４、５、６など）のＯＦＤＭシンボルを占有する。一実施形態において、ＳＩＧフィールド３５６は、ビットまたはブロック繰り返し（例えばＲｅｐ２）を用いて変調させられ、通常モードのデータユニット３００のＳＩＧフィールド３０６は、繰り返しを含まない。実施形態において、データ部分３６０の変調および符号化に関わらず、ＳＩＧフィールド３５６は×２の繰り返しを有する最も低いオーダーのＭＣＳ（ＭＣＳ０  ｒｅｐ  ２）を用いて生成される。
【００８３】
実施形態によると、低帯域幅のデータユニット３５０のＬＴＦ１フィールド３５４は、通常モードのデータユニット３００のＬＴＦ１フィールド３０４と比較してより長い。例えば、一実施形態において、ＬＴＦ１フィールド３５４は、ＬＴＦ１フィールド３０４に含まれるロングトレーニングシーケンス（ＬＴＳ）の繰り返しの数と比較して、ＬＴＳのより多くの繰り返しを含む。図４Ａおよび４Ｂは、実施形態に係る、通常モードのデータユニットおよび低帯域幅モードのデータユニットにそれぞれ含まれるプリアンブル部分４００およびプリアンブル部分４２０を示す図である。実施形態において、プリアンブル部分４００は図３ＡのＬＴＦ１フィールド３０４、およびＳＩＧフィールド３０６の最初のＯＦＤＭシンボルに対応し、プリアンブル部分４２０は、図３ＢのＬＴＦ１フィールド３５４の最初の３つのＯＦＤＭシンボルに対応する。プリアンブル部分４００は、ダブルガードインターバル（ＤＧＩ）４０２、第１のロングトレーニングフィールド（ＬＴＦ１）内の２つのロングトレーニングシンボル（ＬＴＳ）４０４、ガードインターバル（ＧＩ）４０６、および、信号フィールド（ＳＩＧ１）４０８の第１のＯＦＤＭシンボルを含む。第１のＯＦＤＭシンボルフィールド４０８は、ＬＴＦ１の開始（つまり、ＬＴＦ１内のＤＧＩ４０２の開始）の後、時間間隔４３０をおいて開始する。プリアンブル部分４２０は同様に、ＤＧＩ４２２、ＬＴＦ１の２つのＬＴＳ４２４、およびガードインターバル（ＧＩ）４２６を含む。しかしプリアンブル部分４２０のＬＴＦ１は、通常モードのデータユニットのプリアンブル部分４００より多くのロングトレーニングシンボルを含む。例えば、第２のプリアンブル部分４２０のＬＴＦ１は、実施形態において、４つのロングトレーニングシンボルを含む。一実施形態において、ＬＴＳ４２４−２の後の各ロングトレーニングシンボルは、ガードインターバルに先行される。例えば、図４Ｂの例示的な実施形態に見られるように、ガードインターバル４２６は、第３および第４のＬＴＳ４２４−２および４２４−３を分け隔てる。ガードインターバル４２６を含めることにより、プリアンブル部分４２０のＬＴＦ１の開始と相対的な第３のＬＴＳ４２４−３の位置は、プリアンブル部分４００のＬＴＦ１の開始と相対的なＳＩＧ１フィールド４０８の位置と同じである（つまり、それぞれ、対応するＬＴＦ１の開始の後、時間間隔４３０をおいて開始する）。さらに、ＳＩＧ１  ４０８は、実施形態において、第３のＬＴＳ４５４−３とは異なる変調技術を用いて変調させられる。例えば、様々な実施形態において、ＳＩＧ１フィールド４０８は、四位相（ＱＢＰＳＫ）変調させられ、第３のＬＴＳ４２４−３は二相位相（ＢＰＳＫ）変調させられる、またはこの反対である。
【００８４】
いくつかの実施形態において、受信デバイスは、特定の期間、例えば、入ってくるデータユニットの決定されたタイミング基準の後の期間に対応するシンボル位置におけるＯＦＤＭシンボルの変調を用いて、当該入ってくるデータユニットのＰＨＹモードを判断または自動検出する。例えば、受信機は、タイミング参照を、データユニットのＳＴＦフィールドとＬＴＦフィールドとの間の境界であると判断する。よって、ＳＩＧ１フィールド７０８または第３のＬＴＳ７２４−３の前に受信されたデータユニットと同期する受信デバイスは、（通常モードのデータユニットの場合）ＳＩＧ１または（低帯域幅モードのデータユニットの場合）の第３のＬＴＳの位置で用いられている変調技術を検出し、したがって、ＰＨＹモードを判断出来る。図５は、ＢＰＳＫ変調コンスタレーション５００およびＱＢＰＳＫ変調コンスタレーション５５０を示す。図５に見られるように、ＱＢＰＳＫの２つのコンスタレーションシンボルからなる群は、ＢＰＳＫの２つのコンスタレーションシンボルからなる群に対して９０度回転させられている。
【００８５】
追加的または代替的に、実施形態において、受信デバイスは、入ってくるデータユニットのロングトレーニングフィールド内（例えば、図３ＡのＬＴＦ１  ３０４、図３ＢのＬＴＦ１  ３５４内）に含まれるＬＴＦシーケンスに基づき入ってくるデータユニットのＰＨＹモードを判断する。この目的のために、実施形態において、低帯域幅モードのデータユニットで用いられるロングトレーニングシーケンスは、異なって、例えば、通常モードの帯域幅のデータユニットで用いられるロングトレーニングシーケンスと直交して、または適切に低い相関性を持つよう設計される。より詳細には、実施形態において、通常の帯域幅のデータユニットの対応するＯＦＤＭトーンと重複する、低帯域幅のデータユニットのＯＦＤＭトーンの少なくとも一部分（「重複するトーン」）を変調させるロングトレーニングシーケンス値は、低帯域幅のデータユニットのこれらのトーンの通常の帯域幅のデータユニットの対応するトーンとの相互相関によって、ゼロ、または他の適切に低い相関値（例えば、１）の相関値がもたらされるよう設計される。
【００８６】
図６Ａおよび６Ｂは、実施形態に係る、通常モードおよび低帯域幅モードのデータユニットに対応する、例示的なトーンマップ６００、６５０の図である。実施形態において、トーンマップ６００は、図３Ａの通常モードのデータユニット３００のＯＦＤＭトーンに対応し、トーンマップ６５０は、図３Ｂの低帯域幅のデータユニット３５０のＯＦＤＭトーンに対応する。最初に図６Ａを参照すると、トーンマップ６００は、６４ポイントのＩＤＦＴを用いて生成された２ＭＨｚの通常モードのデータユニットに対応する。トーンマップ６００は、−３２〜３１とインデックス付けされた６４個のＯＦＤＭトーンを含む。６４個のＯＦＤＭトーンのうち、２つの（ゼロ設定された）トーン６０２群はガードトーンに対応し、中央のゼロ設定されたトーン６０４はＤＣトーンとしての役割を果たす。残りの２つのトーン６０６群は、−２８〜−１および１〜２８とインデックス付けされた、データトーンおよびパイロットトーンに対応する５６個のトーンを含む。実施形態において、ＯＦＤＭマップ６００は、トーンインデックス［＋／−７および＋／−３１］に位置付けられた４つのパイロットトーンを含む。他の実施形態において、トーンマップ６００は、他の適した数のパイロットトーンを含み、および／または、他の適したトーン位置におけるパイロットトーンを含む。
【００８７】
ここで図６Ｂを参照すると、トーンマップ６５０は、３２ポイントのＩＤＦＴを用いて生成された１ＭＨｚの低帯域幅モードのデータユニットに対応する。トーンマップ６５０は、３２個の、−１６〜１５とインデックス付けされたＯＦＤＭトーンを含む。３２個のＯＦＤＭトーンのうち、２つの（ゼロ設定された）トーン６５２群は、ガードトーンに対応し、中央の（ゼロ設定された）トーン６５４は、ＤＣトーンとしての役割を果たす。−１３〜−１および１〜１３とインデックス付けされた残りの２つのトーン６５６群は、データトーンおよびパイロットトーンに対応する。実施形態において、シンボルマップ６５０は、トーンインデックス［＋／−７］に位置付けられた２つのパイロットトーンを含む。他の実施形態において、トーンマップ６５０は、他の適した数のパイロットトーンを含み、および／または、他の適したトーン位置のパイロットトーンを含む。
【００８８】
実施形態において、低帯域幅のデータユニットは、通常モードのデータユニットに基づき規定された通信チャネルのサブバンドで送信される。例として、１ＭＨｚの低帯域幅のデータユニットは、２ＭＨｚの通常モードの送信に関して規定された通信チャネルの下側波帯（ＬＳＢ）または上側波帯（ＵＳＢ）で送信される。本実施形態において、トーンマップ６５０は、通常モードチャネルの下側波帯または上側波帯へシフトされる。したがって、本実施形態において、トーンマップ６５０内の各トーンは、図６Ｂに示されるトーンインデックスから１６を減算または加算することにより、通常モードチャネルの下側波帯の対応する位置へマッピングされる。よって、実施形態において、トーンマップ６５０のデータトーンおよびパイロットトーン６５６はトーンインデックス［−２９：−３］へマッピングされ、ゼロ設定されたＤＣトーンはトーンインデックス−１６へマッピングされる。同様に、低帯域幅のデータユニットが通常モードの通信チャネルの上側波帯で送信される実施形態において、トーンマップ６５０のデータトーンおよびパイロットトーン６５６は、［３：２８］に亘るトーンインデックスへマッピングされ、ゼロ設定されたＤＣトーンはトーンインデックス１６へマッピングされる。
【００８９】
いくつかの実施形態において、マルチストリームのデータユニットのＬＴＦ１フィールド内のパイロットトーンは、シングルストリームパイロットトーンである。いくつかの実施形態において、シングルストリームパイロットトーンにより、全てのロングトレーニングフィールドを受信する前に受信機は位相トラッキングを実行することが可能となる。
【００９０】
図３Ａおよび３Ｂを参照すると、実施形態において、通常モードのデータユニット３００のＬＴＦフィールド３０４、３０８および／または低帯域幅のデータユニット３５４、３５８のＬＴＦフィールドのＯＦＤＭデータトーンおよびパイロットトーンは、数式３に従って複数の空間ストリームへマッピングされる。
【数２】
2015501617.tif 000004
数式３
ここで下付き文字のｋはトーンインデックス、Ｑは空間マッピング行列、ＤＣＳＤは対角要素が時間領域の循環シフトを表す対角行列、ＡＨＴＬＴＦはロングトレーニングフィールドのマッピング行列、およびＬＴＦｋはｋ番目のトーンのロングトレーニングフィールド値を示す。引き続き数式３を参照すると、Ｋｐｉｌｏｔは、パイロットトーンに対応するトーンインデックス群を表し、ＰＨＴＬＨＦは、ロングトレーニングフィールドデータトーンを複数の空間ストリームへマッピングするために用いられるマッピング行列である。例として、実施形態によると、ＬＴＦデータトーンを空間ストリームへマッピングするためのＰＨＴＬＨＦは以下のように規定される。
【数３】
2015501617.tif 000005
数式４
【００９１】
実施形態において、数式４のマッピング行列のサブ群が、データユニットが４未満の空間ストリームを用いて送信される場合に、ＬＴＦデータトーンをマッピングするために用いられる（例えば、２つのＬＴＦの２つの空間ストリームのために２×２サブ群行列、４つのＬＴＦの３つの空間ストリームのために３×４のサブ群行列など）。さらに、ＲＨＴＬＦＴ行列は、異なる実施形態において異なるように規定される、ＬＴＦパイロットトーンのマッピング行列である。一実施形態において、ＲＨＴＬＦＴ行列は以下の数式により得られる。
【数４】
2015501617.tif 000006
数式５
【００９２】
したがって、本実施形態において、通常モードのデータユニット３００のＬＴＦフィールド３０４、３０８および／または低帯域幅のデータユニット３５４、３５８のＬＴＦフィールドの全てのパイロットトーンは、空間ストリームマッピング行列Ｐの第１の列を用いて複数の空間ストリームへマッピングされる。さらに、本実施形態において、通常モードのデータユニット３００のデータ部分３１０および／または低帯域幅のデータユニット３５０のデータ部分３６０のパイロットトーンは、数式６に示されるようにマッピングされる。
【数５】
2015501617.tif 000007
数式６
ここでｎはシンボルインデックスである。つまり、この場合、データ部分のパイロットトーンも、トーンマッピング行列Ｐの第１の列を用いて複数の空間ストリームへマッピングされる。
【００９３】
他の実施形態において、ＲＨＴＬＦＴ行列は、ＩＥＥＥ  ８０２．１１ａｃ  Ｓｔａｎｄａｒｄに規定される通りであり、以下により得られる。
【数６】
2015501617.tif 000008
数式７
したがって、本実施形態において、通常モードのデータユニット３００のＬＴＦフィールド３０４、３０８および／または低帯域幅のデータユニット３５４、３５８のＬＴＦフィールドの全てのパイロットトーンは、空間ストリームマッピング行列Ｐの第１の行を用いて複数の空間ストリームへマッピングされる。さらに、本実施形態において、データユニット１０００のデータ部分１０１６のパイロットトーンは、数式６に示される通りマッピングされる。
【数７】
2015501617.tif 000009
数式６
ここでｎはシンボルインデックスである。つまり、この場合、データ部分のパイロットトーンも、トーンマッピング行列Ｐの第１の行を用いて複数の空間ストリームへマッピングされる。
【００９４】
実施形態において、通常モードのデータユニットおよび低帯域幅のデータユニットの送信の重複する帯域内のＬＴＦ１フィールドの特定数のトーンが考慮される場合、データユニットのＬＴＦ１フィールドを変調させる際に従ったＬＴＦシーケンスを検出したことに応じて、受信デバイスはデータユニットのＰＨＹモードを判断する。例えば、図６Ｂを参照すると、トーンマップ６５０に従って生成された低帯域幅のデータユニットが２ＭＨｚ通信チャネルの下側波帯で送信される場合、トーンプラン６５０のデータトーンおよびパイロットトーン６５６は、トーンインデックス−２９〜−３へマッピングされる。ここで図６Ａを参照すると、２ＭＨｚ通信チャネルの下側波帯の２ＭＨｚのデータユニットのデータトーンおよびパイロットトーン６０６は、トーンインデックス−２８〜１に対応する。この場合、２ＭＨｚの通常モードのデータユニットおよび１ＭＨｚの低帯域幅のデータユニットの重複するデータトーンおよびパイロットトーン群は、［−２７：−１５，−１５〜−３］とインデックス付けされた２５個のトーンを含む。同様に、実施形態において、低帯域幅のデータユニットが、２ＭＨｚ通信チャネルの上側波帯で送信される場合、トーンプラン６５０のデータトーンおよびパイロットトーン６５６は、トーンインデックス［３：２９］へマッピングされる。図６Ａに見られるように、２ＭＨｚ通信チャネルの上側波帯の２ＭＨｚのデータユニットのデータトーンおよびパイロットトーン６０６は、トーンインデックス［１：２８］に対応する。この場合、２ＭＨｚの通常モードのデータユニットおよび１ＭＨｚの低帯域幅のデータユニットの重複するデータトーンおよびパイロットトーン群は、［３：１５，１７〜２８］とインデックス付けされた２５個のトーンを含む。他の実施形態において、通常モードのデータユニットのために、および低帯域幅モードのデータユニットのために用いられる特定のトーンプランに応じて、複数の重複するトーン群は、他の数の合計の重複するトーンおよび／または他のトーンインデックス位置における重複するトーンを含む。
【００９５】
低帯域幅のデータユニットは典型的には、より広い帯域幅のデータユニットに対応するチャネルのサブバンドで送信され、低帯域幅のデータユニットの送信のために用いられる特定のサブバンドは受信機により先験的に知られている（例えば、送信機と受信機との間のＭＡＣレベルの交換により確立される）ので、低帯域幅のデータユニットおよび通常の帯域幅のデータユニットの重複するトーン群内のＯＦＤＭトーンのうちのいくつかまたは全てを考慮し、２つの可能性のあるＬＴＦシーケンスのうちどちらが、入ってくるデータユニット内の考慮されるトーンに対応するかを判断することにより、受信機は、入ってくるデータユニットのＰＨＹモードを自動検出出来る。より詳細には、一実施形態において、受信デバイスは、重複するトーン群内の考慮されるトーンを用いて、入ってくるデータユニットの考慮されるＯＦＤＭトーンの、２つの可能性のあるＬＴＦシーケンスのうちそれぞれとの相互相関を実行することにより、入ってくるデータユニットに対応するＬＴＦシーケンスを判断する。
【００９６】
データユニットのＬＴＦ１フィールドに基づき受信デバイスがデータユニットのＰＨＹモードを正確に判断できるようにするべく、ＬＴＦシーケンス値は、通常モードのデータユニットのＯＦＤＭトーンと重複するＯＦＤＭトーンの少なくともいくつかに対応するＬＴＦシーケンス値が、通常の帯域幅のデータユニットのＬＴＦ１フィールド（例えば、図３ＡのＬＴＦ１フィールド３０４）を変調させるのに用いられたＬＴＦシーケンスと、低帯域幅のデータユニットのＬＴＦ１フィールド（例えば、図３ＡのＬＴＦ１フィールド３０４）を変調させるのに用いられたＬＴＦシーケンスとの間のゼロまたは低い相互相関をもたらすよう設計されている。実施形態において、通常モードのデータユニットのＬＴＦシーケンス値は、より高い帯域幅を有する通常モードのデータユニットのシーケンス値が、より高い帯域幅のデータユニットの重複するトーンのために用いられる値と同じであるように設計される。例えば、本実施形態において、２ＭＨｚのデータユニットおよび４ＭＨｚのデータユニットの対応する重複するトーンを変調させるのに用いられるＬＴＦ値は同じである。例として、実施形態において、２ＭＨｚの通常モードのデータユニットのＬＴＦパイロットサインは以下の数式より得られる。
【数８】
2015501617.tif 000010
数式７
ここで、ＬＴＦｌｅｆｔは−２６〜−１とインデックス付けされたＯＦＤＭトーンのパイロットサインに対応し、ＬＴＦｒｉｇｈｔは、１〜２６とインデックス付けされたＯＦＤＭトーンのパイロットサインに対応する。実施形態において、２ＭＨｚの通常モードのデータユニット内のＯＦＤＭトーンＬＴＦｌｅｆｔおよびＬＴＦｒｉｇｈｔと重複するより広い帯域幅のデータユニットのＯＦＤＭトーンは、２ＭＨｚの通常モードのデータユニット内のＬＴＦｌｅｆｔおよびＬＴＦｒｉｇｈｔに用いられるＬＴＦパイロットサインに対応するＬＴＦパイロットサインで変調させられる。例えば、実施形態において、４ＭＨｚの通常モードのデータユニット内のＬＴＦパイロットサインは以下の数式により得られる。
【数９】
2015501617.tif 000011
数式８
【００９７】
実施形態において、通常モードのデータユニットのＯＦＤＭシンボルのより低い部分のＯＦＤＭトーンに対応する特定のＬＴＦシーケンス値（例えば、図６Ａのトーン３２〜０）は、ＯＦＤＭシンボルのより高い部分の対応するトーンのＬＴＦシーケンス値（例えば、図６Ａのトーン０〜３２）と同じではない。例えば、実施形態において、通常モードのデータユニットは近距離通信プロトコルの対応するデータユニットの帯域幅に関して規定されたＬＴＦシーケンスを用い、それに対して通常モードのデータユニットはダウンクロックされ（例えば、ＩＥＥＥ８０２．１１ｎ  ＳｔａｎｄａｒｄまたはＩＥＥＥ８０２．１１ａｃ  Ｓｔａｎｄａｒｄに規定されるように）、ここで、通信チャネルの下側波帯のＯＦＤＭトーンに対応するＬＴＦシーケンス値は一般的に、当該チャネルの上側波帯の対応するＯＦＤＭトーンを変調させるＬＴＦシーケンス値と同じであるように設計される。それにも関わらず、実施形態において、通常モードチャネルの上側波帯または下側波帯が、低帯域幅のデータユニットを送信するために用いられるかに関わらず（つまり、より高い帯域幅の通常モードチャネル内の低帯域幅チャネルの配置に関わらず）、同じＬＴＦシーケンスが低帯域幅のデータユニットに関して用いられる。本実施形態において、低帯域幅ＬＴＦシーケンスは、当該シーケンスが、より広い帯域幅のＬＴＦシーケンスの下側波帯および上側波帯の両方に対応する考慮されるＯＦＤＭトーンと直交、または低い相関性を有するよう設計される。他の実施形態において、通常モードの通信チャネルの上側波帯および下側波帯の両方と直交、または低い相関性を有する単一の低帯域幅ＬＴＦシーケンスの設計を促すべく、通常モードのデータユニットのＬＴＦシーケンスは、上側波帯および下側波帯の対応するＯＦＤＭトーンを変調させるＬＴＳ値が同じであるように設計される。
【００９８】
数学用語を用いると、実施形態によると、低帯域幅モードのＬＴＦシーケンスと、通常モードのＬＴＦシーケンスとの間の相互相関は、以下の数式により得られる。
【数１０】
2015501617.tif 000012
数式９
ここで、
【数１１】
2015501617.tif 000013
は、低帯域幅のデータユニットが通常モードチャネルの下側波帯で送信される場合の考慮されるＯＦＤＭトーンに対応するするＬＴＦ値の行ベクトルであり、
【数１２】
2015501617.tif 000014
は、低帯域幅のデータユニットが通常モードチャネルの上側波帯で送信される場合の考慮されるＯＦＤＭトーンに対応するＬＴＦ値の行ベクトルである。一般的に、本明細書で用いられるように、ＫＯＶＬＰ＿ｌｏｗＢＷは、低帯域幅モードのデータユニットの考慮されるＯＦＤＭトーンに対応するトーンインデックスを指し、ＫＯＶＬＰ＿ＬＳＢは、通常モードのデータユニットの下側波帯の考慮されるＯＦＤＭトーンに対応するトーンインデックスを指し、ＫＯＶＬＰ＿ＵＳＢは、通常モードのデータユニットの上側波帯の考慮されるＯＦＤＭトーンに対応するトーンインデックスを指す。
【００９９】
データユニットのＰＨＹモードの自動検出のために受信機により考慮される特定のＯＦＤＭトーンは、異なる実施形態においてそれぞれ異なる。例えば、一実施形態において、考慮されるＯＦＤＭトーン群は、重複するＯＦＤＭトーンの全てを含む。他の実施形態において、通常モードおよび／または低帯域幅のデータユニットのパイロットトーンに対応するトーンインデックスは、考慮されるＯＦＤＭトーン群から除外される。パイロットトーンを除外することに加えて、またはこのことの代わりに、いくつかの実施形態において、通常モードおよび／または低帯域幅のトーンマップの重複するデータトーンのうちいくつかは、考慮されるＯＦＤＭトーン群から除外される。いくつかの実施形態において、考慮される重複するトーン群が偶数個のトーンを含むように、いくつかのＯＦＤＭトーンは考慮から除外される。例えば、図６Ａおよび図６Ｂのトーンマップを参照すると、実施形態によると、重複する２５個のトーンのうち２４個のみが考慮される。例として、通常モードのデータユニットのトーンインデックス−２８および２８は、考慮から除外される。よって、本実施形態において、合計２４個の重複するトーンが考慮される。他の実施形態において、トーンインデックス−２８および＋２８に対応するデータトーンを除外することに加えて、低帯域幅のＯＦＤＭシンボルのトーンプランの２個のパイロットトーンが除外される。したがって、本実施形態において、２２個の重複するトーンが考慮される。さらに他の例として、他の実施形態において、低帯域幅モードのトーンプランのパイロットトーン、および＋／−２８におけるトーンインデックスのデータトーンを除外することに加えて、通常の２ＭＨｚのＯＦＤＭシンボルの各サブバンドの２個のパイロットトーンが除外され、この場合、２０個の重複するトーンが考慮される。代替的に、他の実施形態において、考慮される重複するトーン群は、重複するデータトーンおよびパイロットトーンに加えて、１または複数の追加のトーンを含む。例えば、一実施形態において、データユニットの考慮される重複するトーン群は、対応するトーンプランのゼロ設定されたトーンのうち１または複数、例えばガードトーンを含む。例えば、そのような一実施形態において、２ＭＨｚのトーンマップ６００のゼロ設定されたトーン（図６Ａ）は、トーンインデックス＋／−２９に位置付けられる。
【０１００】
いくつかの実施形態において、考慮される重複するトーン群へ／からパイロットトーンを含めること、または除外することは、シングルストリームパイロットトーンが用いられているか、またはマルチストリームパイロットトーンが用いられているかに依存する。一般的に、通常モードのＬＴＦシーケンスと低帯域幅モードのＬＴＦシーケンスとの間の相互相関は、相互相関が実行される際に考慮される隣接するトーン間のトーンの連続性に大いに依存する。結果として、いくつかの実施形態において、シングルストリームパイロットトーンが用いられ、パイロットトーンが、隣接するデータトーンをマッピングするために用いられる値とは異なるマッピング値を用いて特定の時空間ストリームにマッピングされる場合、実施形態において、パイロットトーンは、考慮される重複するトーン群から除外される。データユニットのＬＴＦ１フィールドに基づき自己相関が実行され、シングルストリームパイロットが、数式ｘｘに関して上記にて説明したようにＰ行列の第１の列を用いて複数の時空間ストリームにマッピングされる実施形態において、ＬＴＦ１フィールドのデータトーンおよびパイロットトーンは、同じマッピング値を用いて複数の時空間ストリームにマッピングされる。よって、この場合、パイロットトーンは除外される必要はない。同様に、マルチストリームパイロットトーンが用いられる場合、当該パイロットトーンは常に、隣接するデータトーンをマッピングするために用いられる値と同じマッピング値を用いて特定の時空間ストリームにマッピングされ、パイロットトーンは、考慮される重複するトーン群から除外される必要がない。しかし、いくつかの実施形態において、考慮される重複するトーン群から除外される必要のないパイロットトーンのうちいくつかまたは全ては、それにも関わらず、他の理由により除外される。
【０１０１】
シングルストリームパイロットトーンが通常モードおよび／または低帯域幅モードのデータユニットのＬＴＦ１フィールドで用いられない例示的な実施形態において、通常モードおよび低帯域幅モードのデータユニットの両方の重複する全てのパイロットトーンおよびデータトーンが、考慮される重複するトーン群に含められる。ＬＴＦ１フィールドがシングルストリームパイロットトーンを含む他の実施形態において、パイロットトーンのうちいくつかまたは全てが、考慮される重複するトーン群に含められない。例えば、一実施形態において、通常モードの帯域幅のトーンマップのパイロットトーンは、考慮される重複するトーン群から除外される。この場合、実施形態において、１ＭＨｚの低帯域幅のデータユニットと２ＭＨｚの通常モードのデータユニットとの間の重複するデータトーン群は、トーンインデックス［−１２：８，−６：１，１：６，８：１２］におけるトーンを含む。他の実施形態において、低帯域幅のトーンプランおよび通常モードのトーンプランの両方のパイロットトーンは、考慮される重複するトーン群から除外される。この場合、１ＭＨｚのＬＴＦ１フィールドのパイロットトーンが、（通常モードの通信チャネルの下側波帯または上側波帯へマッピングされた）トーンインデックス［＋／−７］に位置付けられ、２ＭＨｚのＬＴＦ１フィールドのパイロットトーンがトーンインデックス［＋／−７および＋／−２１］に位置付けられた例示的な実施形態において、重複するトーン群は、（通常モードの通信チャネルの下側波帯または上側波帯にマッピングされた）トーンインデックス［−１２：−８，−６，−４：−１，１：６，８，１０：１２］を含む。他方、ＬＴＦ１のシングルストリームパイロットトーンがＰ行列の第１の行を用いて複数の時空間ストリームにマッピングされる実施形態において、（例えば、４個の空間ストリームを用いるなど）少なくともいくつかの状況において、パイロットトーンは、ＬＴＦ１フィールドのデータトーンのために用いられるマッピング値からの異なるマッピング値を用いて複数の時空間ストリームへマッピングされる。この場合、実施形態において、低帯域幅のトーンマップおよび通常モードのトーンマップの両方のパイロットトーンは、考慮される重複するトーン群から除外される。そのような一実施形態において、重複するトーン群は、（通常モードの通信チャネルの下側波帯または上側波帯にマッピングされた）トーンインデックス［−１２：−８，−６，−４：−１，１：６，８，１０：１２］を含む。
【０１０２】
一般的に、ゼロの相互相関値は、考慮される重複するトーン群に奇数個のトーンが含まれている場合には達成され得ない。いくつかの実施形態において、パイロットトーンの除外があるまたはないに関わらず、考慮されるトーン群がこの除外なしでは奇数個のトーンを含むことになる場合、偶数個の重複するトーンが考慮されるよう、１個の１ＭＨｚのＬＴＦ１データトーンが考慮されるトーン群から除外される。他の実施形態において、考慮されるトーン群がこの含めることなしでは奇数個のトーンを含むことになる場合、偶数個の重複するトーンが考慮されるよう、トーンマップ６００の各サブバンド内の１個の２ＭＨｚのＬＴＦ１のゼロ設定されたトーン（例えば、トーンインデックス＋／−２９）が、考慮されるトーン群に含まれる。
【０１０３】
様々な実施形態においておよび／またはシナリオにおいて、自己相関が実行される、より広い帯域幅の通常モードチャネルの特定のサブチャネルは、ＷＬＡＮ１０により用いられるチャネライゼーションに依存する。いくつかの実施形態において、ＷＬＡＮ（例えば、図１のＷＬＡＮ１０）の通信チャネルは、通常モードの信号帯域幅のみに基づき規定され、他方、低帯域幅モードの信号（例えば、実施形態において、制御モードの信号）は、それらの通信チャネル内の１または複数の周波数帯域で送信される。例えば、実施形態において、媒体アクセス制御（ＭＡＣ）プロトコルが実行されるチャネライゼーションは、通常モードの信号を送信するのに用いられるチャネル群に対応する。通常モードの信号が（例えば、６４ポイント、１２８ポイント、２５６ポイント、または５１２ポイントのＩＤＦＴを用いて生成されるデータユニットに対応する）２ＭＨｚ、４ＭＨｚ、８ＭＨｚ、または１６ＭＨｚの帯域幅で送信されるより特定的かつ例示的な実施形態において、規定されるチャネルは、２ＭＨｚ、４ＭＨｚ、８ＭＨｚ、または１６ＭＨｚチャネルであり、（例えば、３２ポイントのＩＤＦＴを用いて生成されるデータユニットに対応する）１ＭＨｚの帯域幅を有する低帯域幅モードの信号は、２ＭＨｚチャネルのうち１つの１ＭＨｚ帯域で送信される。例えば、一実施形態において、一次２ＭＨｚチャネルが規定され、１ＭＨｚの低帯域幅のデータユニットは、一次２ＭＨｚチャネルのＬＳＢまたはＵＳＢなど一次２ＭＨｚチャネルの一定の側波帯で送信される。この場合、受信デバイスは、１次２ＭＨｚ通信チャネルのＬＳＢまたはＵＳＢ内の特定の重複するトーンを考慮することによりデータユニットのＰＨＹモードを自動検出する。
【０１０４】
代替的に、他の実施形態において、ＷＬＡＮ（例えば、図１のＷＬＡＮ１０）の通信チャネルは、低帯域幅信号の最も低い帯域幅に基づき規定される。例えば、低帯域幅信号の最も低い帯域幅が１ＭＨｚである実施形態において、１ＭＨｚ一次チャネルが規定される。本実施形態において、より広い帯域幅の通常モードのデータユニットは、一次１ＭＨｚチャネルを含む２ＭＨｚチャネルで送信される。例えば、２ＭＨｚの信号は、２ＭＨｚチャネルのＬＳＢまたはＵＳＢとして１ＭＨｚ一次チャネルを有する通信チャネルで送信される。この場合、受信デバイスは、一次１ＭＨｚ通信チャネル内の特定の重複するトーンを考慮することにより、データユニットのＰＨＹモードを自動検出する。
【０１０５】
低帯域幅モードの周波数帯域が通常モードチャネルの特定の（上側または下側）波帯に制限されるいくつかの実施形態において、受信機は、周波数帯域で検出される信号（または信号部分）に基づきＰＨＹモードを自動検出し、この場合、周波数帯域位置は先験的に受信機によって知られている。例えば、実施形態において、受信機は、低帯域幅モード（例えば、制御モード）の信号が通常モードチャネルの下側波帯でのみ送信されることを知っている。したがって、本実施形態において、（例えば、ＳＴＦの差などに基づき）ＰＨＹモードを自動検出する目的で、受信機は、チャネルの下側波帯の信号のみを観察する。逆に、実施形態において、受信機は、信号フィールド（例えば、ＩＥＥＥ８０２．１１ｎおよびＩＥＥＥ８０２．１１ａｃで用いられるようなＨＴＳＩＧフィールド）に基づき、異なる通常モードのデータユニットの帯域幅（例えば、２ＭＨｚ、４ＭＨｚ、８ＭＨｚなど）を検出する。
【０１０６】
いくつかの実施形態において、バランスのとれていない数のガードトーンを有する（つまり、図６Ｂの例示的なトーンマップ６５０のように上側／下側のバンドエッジにおけるガードトーンが、下側／上側のバンドエッジより多い）低帯域幅モードの信号は、低帯域幅のデータユニットが送信されている通信チャネルのエッジにおいてより小さい数のガードトーンを配置する周波数帯域で送信され得る。チャネルのエッジにおけるガードトーンの数を増やすべく、低帯域幅モードの信号（または、その１または複数の周波数領域の複製）のトーンはいくつかの実施形態において、反転またはシフトされる。いくつかの実施形態によると、通信チャネルのエッジにおけるガードトーンの数を増加すべく用いられる反転またはシフトされたトーンプランは、米国特許出願第１３／４９４，５０５号に記載されている。
【０１０７】
いくつかの実施形態において、トーンマップの反転またはシフトが用いられる場合、低帯域幅のデータユニットのＬＴＦ１フィールドを変調させるのに用いられるＬＴＦシーケンス値は、トーンのシフトまたは反転が用いられない場合にＬＴＦ１フィールドを変調させるのに用いられるＬＴＦシーケンス値と同じままである。この場合、低帯域幅のデータユニットのチャネル配置に関わらず、共通の低帯域幅ＬＴＦシーケンスが用いられる。いくつかのそのような実施形態において、通常モードで用いられるＬＴＦシーケンス値は、対応する近距離通信プロトコル（例えば、ＩＥＥＥ−８０２．１１ｎ  Ｓｔａｎｄａｒｄ）で規定されるＬＴＦ値シーケンスを用いない。むしろ、いくつかのそのような実施形態において、用いられているチャネル配置に関わらず、（考慮される重複するトーン群を用いて相互相関が実行される場合に）通常モードで用いられるＬＴＦシーケンスと低帯域幅モードで用いられるＬＴＦシーケンスとの間の適切に低い相互相関値が確実に得られるよう、通常モードで用いられる新たなＬＴＦシーケンスが規定される。しかし一実施形態において、通常モードで用いられるＬＴＦシーケンス値は、対応する近距離通信プロトコル（例えば、ＩＥＥＥ−８０２．１１ｎ  Ｓｔａｎｄａｒｄ）で規定されるＬＴＦ値シーケンスを用い、低帯域幅のＬＴＦ値は、用いられているチャネル配置に関わらず、（考慮される重複するトーン群を用いて相互相関が実行される場合に）通常モードで用いられるＬＴＦシーケンスと低帯域幅モードで用いられるＬＴＦシーケンスとの間の適切に低い相互相関値が得られるよう設計される。
【０１０８】
図７は、実施形態に係るデータユニットを生成するための例示的な方法７００のフロー図である。図１を参照すると、実施形態において、方法７００はネットワークインタフェース１６により実行される。例えば、そのような一実施形態において、ＰＨＹ処理ユニット２０は、方法７００を実行するよう構成される。他の実施形態によると、ＭＡＣ処理１８は、方法７００の少なくとも一部を実行するようにも構成される。引き続き図１を参照すると、さらに他の実施形態において、方法７００は、ネットワークインタフェース２７（例えば、ＰＨＹ処理ユニット２９および／またはＭＡＣ処理ユニット２８）により実行される。他の実施形態において、方法７００は、他の適したネットワークインタフェースにより実行される。
【０１０９】
ブロック７０２において、通常モードで送信されることになるデータユニットは、第１のロングトレーニングフィールドを含むよう生成される。例えば、実施形態によると、図３Ａのデータユニット３００が生成される。他の実施形態において、他の適したデータユニットが生成される。実施形態において、ブロック７０２において生成されるデータユニットは、ＬＴＦ１フィールド３０４を含む。
【０１１０】
ブロック７０４において、低帯域幅モードで送信されることになるデータユニットは、第２のロングトレーニングフィールドを含むよう生成される。例えば、実施形態によると、図３Ｂのデータユニット３５０が生成される。他の実施形態において、他の適したデータユニットが生成される。実施形態において、ブロック７０４において生成されるデータユニットは、ＬＴＦ１フィールド３５４を含む。
【０１１１】
実施形態において、ブロック７０２において生成されるデータユニットに含まれる第１のトレーニングフィールド、および、ブロック７０４において生成される第２のロングトレーニングフィールドは、データユニットに含まれるロングトレーニングフィールド（例えば、ＬＴＦ１）に基づき、データユニットがブロック７０２において生成される通常モードのデータユニットであるのか、または、ブロック７０４において生成される低帯域幅のデータユニットであるのかを、受信デバイスが自動検出出来るよう構成される。実施形態において、第１のロングトレーニングフィールドは、第１のトーンマップに従って生成され、第２のロングトレーニングフィールドは、第２のトーンマップに従って生成される。例えば、一実施形態によると、第１のトレーニングフィールドは図６Ａのトーンマップ６００に従って生成され、第２のトレーニングフィールドは、図６Ｂのトーンマップ６５０に従って生成される。他の実施形態において、第１のトレーニングフィールドおよび／または第２のトレーニングフィールドは、他の適したトーンマップに従って変調させられる。いずれにしても、第１のトーンマップおよび第２のトーンマップにおける重複するトーン群を変調させるために用いられるＬＴＦシーケンス値は、重複するトーン群を用いて相互相関が実行された場合に適切に低い相互相関値が生成されるよう構成される。
【０１１２】
図８は、実施形態に係る、データユニットのＰＨＹモードを自動検出するための例示的な方法８００のフロー図である。図１を参照すると、実施形態において、方法８００は、ネットワークインタフェース１６により実行される。例えば、そのような一実施形態において、ＰＨＹ処理ユニット２０は、方法８００を実行するよう構成される。他の実施形態によると、ＭＡＣ処理１８は方法８００の少なくとも一部を実行するようにも構成される。引き続き図１を参照すると、さらに他の実施形態において、方法８００は、ネットワークインタフェース２７（例えば、ＰＨＹ処理ユニット２９および／またはＭＡＣ処理ユニット２８）により実行される。他の実施形態において、方法７００は、他の適したネットワークインタフェースにより実行される。
【０１１３】
ブロック８０２において、データユニットが受信される。データユニットは、ｉ）第１のロングトレーニングシーケンスに従って変調させられた第１のロングトレーニングフィールド、およびｉｉ）第２のロングトレーニングシーケンスに従って変調させられた第２のロングトレーニングフィールドのうち一方を含む。例として、実施形態において、ブロック８０２において、図３Ａのデータユニット３００が受信され、または、図３Ｂのデータユニット３５０が受信される。データユニットがデータユニット３００である場合、データユニットは、第１のＬＴＦシーケンスに従って変調させられたＬＴＦ１  ３０４を含む。他方、受信されたデータユニットがデータユニット３５０である場合、データユニットは、第２のＬＴＦシーケンスに従って変調させられたＬＴＦ１  ３５４を含む。他の実施形態において、ブロック８０２において、第１のロングトレーニングフィールドおよび第２のロングトレーニングフィールドのいずれかを有する他の適したデータユニットが受信される。
【０１１４】
ブロック８０４において、データユニットが第１のトレーニングフィールドを含むか、または第２のトレーニングフィールドを含むかが検出される。例えば、実施形態において、第１のＬＴＦシーケンスおよび第２のＬＴＦシーケンスを有するロングトレーニングフィールドの１または複数のＯＦＤＭシンボルに亘る相互相関は、通常モードのデータユニットの送信のために用いられるチャネルが、低帯域幅のデータユニットの送信のために用いられるチャネルと重複する周波数範囲において、考慮される重複するトーン群を用いて実行される。本実施形態において、ブロック８０４における検出は、２つの相互相関のうちどちらがより高い結果を生成するかを検出することにより実行される。
【０１１５】
ブロック８０６において、データユニットが第１のロングトレーニングフィールドを含むことを検出したことに応じて、データユニットが通常モードのデータユニットに対応することが判断される。代替的に、ブロック８０６において、データユニットが第２のロングトレーニングフィールドを含むことを検出したことに応じて、データユニットが低帯域幅のデータユニットに対応することが判断される。
【０１１６】
上述した様々なブロック、動作、および技術のうち少なくともいくつかは、ハードウェア、ファームウェア命令を実行するプロセッサ、ソフトウェア命令を実行するプロセッサ、または、それらの何らかの組み合わせにより実装されてもよい。ソフトウェア命令またはファームウェア命令を実行するプロセッサを用いて実行した場合、当該ソフトウェア命令またはファームウェア命令は、ＲＡＭまたはＲＯＭ、或いは、フラッシュメモリ、プロセッサ、ハードディスクドライブ、光ディスクドライブ、テープドライブなどの磁気ディスク、光ディスク、または他の記憶媒体などコンピュータ可読メモリに格納されてもよい。同様に、ソフトウェア命令またはファームウェア命令は、コンピュータ可読ディスクまたは他の搬送可能なコンピュータ記憶メカニズム上に格納すること、または通信媒体を介することを例えば含む公知の、または所望される伝達方法を介して、ユーザまたはシステムへ届けられ得る。典型的には通信媒体はコンピュータ可読命令、データ構造、プログラムモジュール、または他のデータを、搬送波、または他の搬送メカニズムなどの変調させられたデータ信号で具体化する。「変調させられたデータ信号」という用語は、その特性のうち１または複数が、情報を信号内で符号化するよう設定または変更された信号を指す。例として、通信媒体には、有線ネットワークまたは直接有線接続などの有線媒体、および、音響媒体、無線周波数媒体、赤外線媒体、および他の無線媒体などの無線媒体が含まれるが、これらに限定されない。よって、ソフトウェア命令またはファームウェア命令は、電話線、ＤＳＬ線、ケーブルテレビ線、光ファイバー線、無線通信チャネル、インターネットなどの（搬送可能な記憶媒体を介してそのようなソフトウェアを提供することと同じ、またはそのことの代替と見なされる）通信チャネルを介してユーザまたはシステムに伝えられ得る。ソフトウェア命令またはファームウェア命令には、プロセッサにより実行されると当該プロセッサに様々な動作を行わせる機械可読命令が含まれ得る。
【０１１７】
ハードウェアで実行された場合、当該ハードウェアは、個別のコンポーネント、集積回路、特定用途向け集積回路（ＡＳＩＣ）などのうち１または複数を備え得る。
【０１１８】
例示のみを目的とし本願発明を限定しない特定の例を参照し本願発明を説明してきたが、本願発明の範囲から逸脱することなく、開示される実施形態の変更、追加、および／または削除などが可能である。
【図１】
2015501617.tif 000015
【図２】
2015501617.tif 000016
【図３Ａ】
2015501617.tif 000017
【図３Ｂ】
2015501617.tif 000018
【図４Ａ】
2015501617.tif 000019
【図４Ｂ】
2015501617.tif 000020
【図５】
2015501617.tif 000021
【図６Ａ】
2015501617.tif 000022
【図６Ｂ】
2015501617.tif 000023
【図７】
2015501617.tif 000024
【図８】
2015501617.tif 000025
【国際調査報告】
2015501617.tif 000026
2015501617.tif 000027
2015501617.tif 000028